(57)【要約】【課題】個別通話と一斉放送で同じ伝送線路を使用しつつ住戸機から印加される直流電圧の衝突を無くして不具合の発生を防止する。【解決手段】一斉放送時に経路切替器１０においては２系統の幹線Ｌ１1，Ｌ１2が双方とも幹線制御装置３側の幹線Ｌ１0と接続されるから、一斉放送用の音声信号が各幹線Ｌ１1，Ｌ１2にそれぞれ分岐接続されている全ての住戸機２に伝送されてスピーカ２１ｂから出力される。このとき、経路切替器１０では各幹線Ｌ１1，Ｌ１2における信号線Ｌｄに直流電圧阻止用のコンデンサ１０３Ａ，１０３Ｂがそれぞれ挿入されているため、２つの系統の幹線Ｌ１1，Ｌ１2において各々住戸機２11，２21の幹線電源重畳回路２００により信号線Ｌｄの線間に印加された直流電圧が直流電圧阻止用のコンデンサ１０３Ａ，１０３Ｂで阻止されて衝突することがない。【選択図】        図１
2006180221.tif 000002
【特許請求の範囲】
【請求項１】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される経路切替器とを備え、
伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、
住戸機は、共用部装置並びにドアホン子器との間で各々信号線及び子器接続線を介した通話を行う通話手段と、住戸別線の信号線に挿入された常開型の住戸機スイッチ要素と、住戸機スイッチ要素を介して幹線の信号線の線間に直流電圧を印加する幹線電源供給手段と、制御線を介して伝送される制御信号を受信したときに住戸機スイッチ要素を閉成するとともに幹線電源供給手段に直流電圧を印加させる制御手段とを備え、
経路切替器は、共用部装置側の幹線から分配された前記複数系統の幹線における信号線にそれぞれ挿入された常開型の複数の幹線スイッチ要素と、各系統の幹線について住戸機の幹線電源供給手段によって信号線間に印加される直流電圧を電源として当該信号線に挿入されている幹線スイッチ要素を閉成するスイッチ要素駆動手段と、各系統の幹線の信号線において幹線スイッチ要素とスイッチ要素駆動手段との間にそれぞれ挿入された複数の直流電圧阻止用コンデンサとを備え、
各住戸機では、制御線を介して一斉放送開始を指示する制御信号が伝送され、当該制御信号を受信したときに制御手段が住戸機スイッチ要素を閉成し、
各系統の幹線において当該幹線から分岐された住戸別線に接続された複数台の住戸機のうちの何れか１台の住戸機では、制御線を介して一斉放送開始を指示する制御信号が伝送され、当該制御信号を受信したときに制御手段が幹線電源供給手段に直流電圧を印加させることを特徴とする集合住宅用インターホンシステム。
【請求項２】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される経路切替器とを備え、
伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、
住戸機は、共用部装置並びにドアホン子器との間で各々信号線及び子器接続線を介した通話を行う通話手段と、住戸別線の信号線に挿入された常開型の住戸機スイッチ要素と、住戸機スイッチ要素を介して幹線の信号線の線間に互いに異なる第１の電圧値及び第２の電圧値を有する２種類の直流電圧を印加する幹線電源供給手段と、制御線を介して個別通話開始を指示する制御信号を受信したときに住戸機スイッチ要素を閉成するとともに幹線電源供給手段に第１の電圧値の直流電圧を印加させ、制御線を介して一斉放送開始を指示する制御信号を受信したときに住戸機スイッチ要素を閉成するとともに幹線電源供給手段に第２の電圧値の直流電圧を印加させる制御手段とを備え、
経路切替器は、共用部装置側の幹線から分配された前記複数系統の幹線における信号線にそれぞれ挿入された常開型の複数の幹線スイッチ要素と、各系統の幹線について住戸機の幹線電源供給手段によって信号線間に印加される第１の電圧値及び第２の電圧値の直流電圧を各別に検出し、第１の電圧値の直流電圧が検出されたときは当該信号線に挿入されている幹線スイッチ要素のみを閉成し、第２の電圧値の直流電圧が検出されたときは他の信号線を含む全ての信号線に挿入されている各幹線スイッチ要素を全て閉成するスイッチ要素駆動手段とを備え、
各住戸機では、制御線を介して一斉放送開始を指示する制御信号が伝送され、当該制御信号を受信したときに制御手段が住戸機スイッチ要素を閉成し、複数台の住戸機のうちの何れか１台の住戸機では、制御線を介して一斉放送開始を指示する制御信号が伝送され、当該制御信号を受信したときに制御手段が幹線電源供給手段に第２の電圧値の直流電圧を印加させることを特徴とする集合住宅用インターホンシステム。
【請求項３】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される経路切替器と、共用部装置が接続された幹線において共用部装置と経路切替器との間に挿入され、少なくとも複数系統の幹線に分岐接続された全ての住戸機に対して一斉放送を行う一斉放送機器とを備え、
伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、
住戸機は、共用部装置並びにドアホン子器との間で各々信号線及び子器接続線を介した通話を行う通話手段と、住戸別線の信号線に挿入された常開型の住戸機スイッチ要素と、住戸機スイッチ要素を介して幹線の信号線の線間に直流電圧を印加する幹線電源供給手段と、制御線を介して伝送される制御信号を受信したときに住戸機スイッチ要素を閉成する制御手段とを備え、
一斉放送機器は、幹線の信号線の線間に直流電圧を印加する一斉放送電源供給手段を備え、
経路切替器は、共用部装置側の幹線から分配された前記複数系統の幹線における信号線にそれぞれ挿入された常開型の複数の幹線スイッチ要素と、各系統の幹線について住戸機の幹線電源供給手段によって信号線間に印加される直流電圧を電源として当該信号線に挿入されている幹線スイッチ要素を閉成するスイッチ要素駆動手段と、共用部装置側の幹線について一斉放送機器の一斉放送電源供給手段によって信号線間に印加される直流電圧を電源として各信号線に挿入されている全ての幹線スイッチ要素を閉成するスイッチ要素一斉駆動手段とを備えたことを特徴とする集合住宅用インターホンシステム。
【請求項４】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される経路切替器とを備え、
伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、
住戸機は、共用部装置並びにドアホン子器との間で各々信号線及び子器接続線を介した通話を行う通話手段と、住戸別線の信号線に挿入された常開型の住戸機スイッチ要素と、住戸機スイッチ要素を介して幹線の信号線の線間に直流電圧を印加する幹線電源供給手段と、制御線を介して伝送される制御信号を受信したときに住戸機スイッチ要素を閉成する制御手段とを備え、
経路切替器は、共用部装置側の幹線から分配された前記複数系統の幹線における信号線にそれぞれ挿入された常閉型の複数の幹線スイッチ要素と、各系統の幹線について住戸機の幹線電源供給手段によって信号線間に印加される直流電圧を電源として当該信号線に挿入されている幹線スイッチ要素を除く他の全ての幹線スイッチ要素を開成するスイッチ要素駆動手段とを備えたことを特徴とする集合住宅用インターホンシステム。
【請求項５】
経路切替器は、各系統の幹線の信号線において幹線スイッチ要素とスイッチ要素駆動手段との間にそれぞれ挿入された複数の直流電圧阻止用コンデンサと、各系統の幹線について住戸機の幹線電源供給手段によって信号線間に印加される直流電圧を検出したときに、各系統の幹線において幹線スイッチ要素よりも共用部装置側の信号線の線間に直流電圧を印加する第２の幹線電源供給手段とを備えたことを特徴とする請求項４記載の集合住宅用インターホンシステム。
【請求項６】
経路切替器は、各系統の幹線の信号線において幹線スイッチ要素とスイッチ要素駆動手段との間にそれぞれ挿入された複数の直流電圧阻止用コンデンサと、各直流電圧阻止用コンデンサの両端を短絡する常開型の複数の短絡スイッチ要素と、各系統の幹線について住戸機の幹線電源供給手段によって信号線間に印加される直流電圧を電源として当該信号線に挿入されている直流電圧阻止用コンデンサの両端を短絡する短絡スイッチ要素を閉成する短絡スイッチ要素駆動手段とを備えたことを特徴とする請求項４記載の集合住宅用インターホンシステム。
【請求項７】
経路切替器は、共通接点を常開の切替接点と常閉の切替接点に切替接続する切替型の前記幹線スイッチ要素と、各系統の幹線の信号線において幹線スイッチ要素の常閉切替接点とスイッチ要素駆動手段との間にそれぞれ挿入された複数の直流電圧阻止用コンデンサとを備え、共通接点を共用部装置側の幹線における信号線に接続するとともに分配された各系統の幹線における信号線に常開の切替接点をそれぞれ接続し、且つ前記直流電圧阻止用のコンデンサを介して常閉の切替接点を他の幹線スイッチ要素における常開の切替接点に接続してなることを特徴とする請求項４記載の集合住宅用インターホンシステム。
【請求項８】
共用部装置が接続された幹線において共用部装置と経路切替器との間に挿入され、少なくとも複数系統の幹線に分岐接続された全ての住戸機に対して一斉放送を行う一斉放送機器を備え、
共用部装置は、来訪者を撮像するカメラと、カメラで撮像された映像を伝送する映像信号を音声信号よりも高周波で周波数変調するとともに音声信号を伝送する信号線に周波数多重化する映像信号伝送手段とを備え、
住戸機は、信号線を介して伝送される音声信号から映像信号を分離するとともに分離した映像信号を復調する映像信号分離復調手段と、復調された映像信号により共用部装置のカメラで撮像された映像を表示するモニタとを備え、
一斉放送機器は、共用部装置と住戸機との間で個別通話が行われるときに音声信号の周波数及び映像信号の搬送波周波数の何れとも異なる周波数を有した判別信号を信号線に重畳する信号重畳手段を備え、
経路切替器は、各系統の幹線について信号線に重畳された前記判別信号を検出する複数の判別信号検出手段を備え、各スイッチ要素駆動手段は、判別信号検出手段により信号線に重畳された判別信号を検出しているときに当該信号線に挿入された幹線スイッチ要素を開成することを特徴とする請求項４〜７の何れかに記載の集合住宅用インターホンシステム。
【請求項９】
共用部装置は、来訪者を撮像するカメラと、カメラで撮像された映像を伝送する映像信号を音声信号よりも高周波で周波数変調するとともに音声信号を伝送する信号線に周波数多重化する映像信号伝送手段とを備え、
住戸機は、個別通話時に信号線を介して伝送される音声信号から映像信号を分離するとともに分離した映像信号を復調する映像信号分離復調手段と、復調された映像信号により共用部装置のカメラで撮像された映像を表示するモニタとを備え、
経路切替器は、各系統の幹線について信号線を介して伝送される映像信号の搬送波を検出する複数の搬送波検出手段を備え、スイッチ要素駆動手段は、搬送波検出手段により信号線を介して伝送される映像信号の搬送波を検出しているときに当該信号線に挿入された幹線スイッチ要素を開成することを特徴とする請求項４〜７の何れかに記載の集合住宅用インターホンシステム。
【発明の詳細な説明】
【技術分野】
【０００１】
本発明は、集合住宅の共用玄関に設置された共用部装置と各住戸にそれぞれ設置される住戸機の何れか１台との間で択一的に通信路を確立して通話可能とする集合住宅用インターホンシステムに関し、特に共用部装置と１台の住戸機とが一対一で通話する個別通話の他に、集合住宅の管理室などに設置された一斉放送機器により全ての住戸機へ音声を一斉に放送することができる集合住宅用インターホンシステムに関するものである。
【背景技術】
【０００２】
従来から提供されている集合住宅用インターホンシステムの構成例（従来例１）を図１０に示す。この従来例１では、集合住宅の共用玄関に設置される共用部装置（ロビーインターホン）１と、各住戸にそれぞれ設置される複数台の住戸機２とを備え、ロビーインターホン１と住戸機２とが伝送線路を介して接続されている。伝送線路は、ロビーインターホン１に接続される幹線Ｌ１と、各住戸機２にそれぞれ接続される住戸別線Ｌ２とを含み、さらに幹線Ｌ１を複数系統（図では２系統×２系統で合計４系統）に分配するための幹線制御装置３並びに幹線分配器４が設けられている。この伝送線路としては、３対以上のペア線をシース内に備える多対ツイストペアケーブルを用いており、図示例ではロビーインターホン１と住戸機２との間で音声信号を伝送する通話線Ｌａと、ロビーインターホン１が具備するカメラ（図示せず）で撮像された映像信号を伝送する映像線Ｌｂと、ロビーインターホン１が有する選択手段（後述する）により選択された住戸機２を指定する制御信号を伝送する制御線Ｌｃとにそれぞれペア線を用いている。つまり、図示例の伝送線路では３対のペア線を用いている。ここで、映像線Ｌｂを介して伝送される映像信号はロビーインターホン１において周波数変調され、後述するように各住戸機２に設けたＦＭ復調部２５ａで周波数復調されてモニタ２２に表示される。
【０００３】
ロビーインターホン１は、音声を入出力するマイクロホン及びスピーカと、来訪者を撮像するカメラと、住戸番号を指定するための番号キーと呼出釦を有する選択手段とを備え、来訪者が番号キーを操作して訪問先の住戸番号を選択した後に呼出釦を操作すると住戸番号に対応する住戸機２を選択したことになる。ここで、ロビーインターホン１には通話線Ｌａ及び制御線Ｌｃを介して通話制御装置５が接続されており、ロビーインターホン１で選択された住戸番号が制御線Ｌｃを介して通話制御装置５に伝送されると、通話制御装置５が当該住戸番号に対応する住戸機２に対して制御線Ｌｃを介して制御信号（呼出コマンド）を送出する。
【０００４】
一方、住戸機２は、音声を入出力するマイクロホン２１ａ及びスピーカ２１ｂを備え、マイクロホン２１ａとスピーカ２１ｂとはそれぞれ増幅器２４ａ，２４ｂを介して音声回路２４ｃに接続されている。音声回路２４ｃは、２線の通話線Ｌａと２個の増幅器２４ａ，２４ｂの入力線及び出力線とを２線４線変換する回路を含み、マイクロホン２１ａから入力される音声信号を通話線Ｌａに送出し、通話線Ｌａからの音声信号をスピーカ２１ｂ側に出力する機能を備えている。したがって、ロビーインターホン１と住戸機２との間で通話線Ｌａを通して音声信号を授受することができ、来訪者がロビーインターホン１を用いるとともに居住者が住戸機２を用いることによって、来訪者と居住者との間で音声通話が可能となる。
【０００５】
住戸機２に設けた音声回路２４ｃには、子器インタフェース回路２３及び子器接続線Ｌ３を介してドアホン子器６が接続される。ドアホン子器６は集合住宅の各住戸の玄関先に配置されるものであってマイクロホンおよびスピーカを備え、子器インタフェース回路２３はドアホン子器６との通話のための音声双方向増幅回路や音声回路２４ｃを接続するための開閉路回路などを備える。したがって、ドアホン子器６と住戸機２との間での通話が可能になっている。また、ドアホン子器６には呼出釦が設けられ、子器インタフェース回路２３ではドアホン子器６での呼出釦の操作時に呼出音を音声回路２４ｃに入力して、スピーカ２１ｂから送出させる機能も備える。ドアホン子器６の電源は住戸機２に内蔵した子器電源部２８ａから電源重畳部２８ｂを介して供給される。電源重畳部２８ｂは音声信号伝送帯域に対するインピーダンスを高くして子器接続線Ｌ３に電源を重畳する回路である。ここに、子器接続線Ｌ３には伝送線路とは別シースのケーブルを用いるのが一般的であるが、伝送線路の中の１対のペア線を流用することも可能である。
【０００６】
住戸機２において、モニタ２２には液晶表示器あるいはＣＲＴが用いられる。映像線Ｌｂを通して住戸機２に入力される映像信号は、平衡−不平衡変換のための結合トランス２５ｃを介して増幅器２５ｂに入力され、増幅器２５ｂで増幅された後にＦＭ復調部２５ａにおいて周波数復調される。ＦＭ復調部２５ａから出力された映像信号は、モニタ２２に入力されることによってモニタ２２の画面に映像を表示する。つまり、ロビーインターホン１のカメラにおいて撮像された来訪者の映像が住戸機２のモニタ２２に表示されるから、住戸内の居住者が来訪者を確認することができるのである。
【０００７】
住戸機２には内部回路を制御するＣＰＵ２０が設けられ、ＣＰＵ２０には制御線Ｌｃとのインタフェースとなる制御信号送受信回路２６が接続される。制御信号送受信回路２６は、ＣＰＵ２０から出力された制御信号を制御線Ｌｃに送出し、制御線Ｌｃから受信した制御信号をＣＰＵ２０に引き渡す機能を有する。住戸機２の内部電源は、電源回路２７によって商用電源（交流１００Ｖ）から生成される。
【０００８】
ところで、通話線Ｌａおよび制御線Ｌｃは、幹線Ｌ１と住戸別線Ｌ２とが直結され、幹線制御装置３並びに幹線分配器４においては各系統の幹線Ｌ１を直結している。したがって、ロビーインターホン１から送出された制御信号は制御線Ｌｃに接続されるすべての住戸機２に伝送される。ここに、住戸機２のＣＰＵ２０には個別にアドレス（たとえば、住戸番号）が設定されており、ロビーインターホン１においてアドレスを選択することによって、アドレスを指定する制御信号（呼出コマンド）が通話制御装置５から制御線Ｌｃを介して全ての住戸機２に伝送することが可能になっている。住戸機２のＣＰＵ２０は、制御信号に含まれるアドレスが自己のアドレスであればＦＭ復調部２５ａやモニタ２２を起動してロビーインターホン１のカメラにおいて撮像された来訪者の映像を住戸機２のモニタ２２に表示させるとともに、音声回路２４ｃを通じてスピーカ２１ｂから呼出音を送出させるように構成されている。そして、呼出音に応じて居住者が住戸機２の応答釦（図示せず）を押操作すれば、ＣＰＵ２０が住戸別線Ｌ２の通話線Ｌａにおける幹線Ｌ１と音声回路２４ｃとの間に挿入された住戸機リレーのリレー接点２９を閉成してロビーインターホン１との間に通信路を確立することにより、ロビーインターホン１と選択された住戸機２との間でのみ通話可能にすることができるとともに、選択された住戸機２でのみカメラで撮像された来訪者をモニタ２２に表示することが可能になる。但し、住戸別線Ｌ２のうちで映像線Ｌｂについては分岐器７を介して幹線Ｌ１から分岐されている。
【０００９】
上述のようにしてロビーインターホン１において選択された住戸機２がロビーインターホン１との間で通信路を確立している状態は、ロビーインターホン１または住戸機２において通話終了が検出されると終了する。つまり、ロビーインターホン１または住戸機２にハンドセットを用いる場合にはハンドセットをオンフックすることによって通話終了を検知でき、ハンズフリーで通話する場合には適宜の操作釦を用いて通話終了を指示できる。
【００１０】
幹線制御装置３においては、ロビーインターホン１から映像線Ｌｂを介して入力するＦＭ映像信号が平衡−不平衡変換のための結合トランス３１を介して増幅器３２に入力され、増幅器３２で増幅された後に分配回路３３により２系統に分配される。また、幹線制御装置３には給電回路３４が設けられ、分配回路３３で分配された２系統の映像線Ｌｂにそれぞれ直流電圧・電流を重畳することで幹線分配器４への給電が行われる。尚、幹線制御装置３においては、通話線Ｌａ並びに制御線Ｌｃは各系統の幹線Ｌ１に直接分岐されている。
【００１１】
また幹線分配器４においては、幹線制御装置３から映像線Ｌｂを介して入力するＦＭ映像信号が平衡−不平衡変換のための結合トランス４１を介して増幅器４２に入力され、増幅器４２で増幅された後に分配回路４３により２系統に分配される。幹線分配器４には映像線Ｌｂに重畳された直流電圧・電流から増幅器４２等の動作電源を作成する受電回路４４及び電源回路４５が設けられるとともに、結合トランス４１の入力側と分配回路４３の出力側とが映像分離コイル４６を介して接続されることにより、分配後の各系統の映像線Ｌｂに直流電圧・電流が重畳されている。尚、幹線分配器４においても、通話線Ｌａ並びに制御線Ｌｃは各系統の幹線Ｌ１に直接分岐されている。
【００１２】
ところで、伝送線路の線路長が長くなるにつれて線路の容量成分や誘導成分が増大して音声信号及び映像信号の伝送損失が無視できなくなる。このため、上述の従来例１においては、結合トランス８１や増幅器８２を具備して映像線Ｌｂを介して伝送されるＦＭ映像信号を増幅する映像増幅器８を適宜幹線Ｌ１に挿入することにより、映像信号の伝送損失を補っている。
【００１３】
一方、映像伝送機能を持たず、通話のみが可能な集合住宅用インターホンシステムの構成例（従来例２）を図１１に示す。この従来例２では、従来例１と同様に、ロビーインターホン１、住戸機２、ドアホン子器６、通話制御装置５を備えているが、映像に関連する構成要素（カメラやＦＭ復調部、モニタ、映像線など）を有しない点を除けば、従来例１におけるものと共通の構成要素を有しているから、共通の構成要素には同一の符号を付して説明を省略する。
【００１４】
従来例２においては、複数台の住戸機２がそれぞれ分岐接続された複数系統（図示例では２系統）の幹線Ｌ１とロビーインターホン１側の幹線Ｌ１との間に挿入され、ロビーインターホン１との間で一対一の通話（以下、「個別通話」という）を行う１台の住戸機２が分岐接続された幹線Ｌ１のみをロビーインターホン１と接続するように音声信号の伝送経路を択一的に切り替える経路切替器９を備えている。経路切替器９においては１系統の幹線Ｌ１（通話線Ｌａ及び制御線Ｌｃ）が２系統の幹線Ｌ１に分配され、分配された２系統の各幹線Ｌ１における通話線Ｌａに常開型の幹線リレー接点９１Ａ，９１Ｂがそれぞれ挿入されている。
【００１５】
一方、従来例２における住戸機２には、個別通話時に住戸別線Ｌ２の通話線Ｌａの線間に直流電圧を印加（重畳）する幹線電源重畳回路２００が設けられており、ロビーインターホン１からの呼出に応答して居住者が住戸機２の応答釦（図示せず）を押操作したとき、住戸機２のＣＰＵ２０が住戸機リレーのリレー接点２９を閉成するとともに幹線電源重畳回路２００によって通話線Ｌａに直流電圧を印加する。
【００１６】
経路切替器９においては、通話線Ｌａの線間電圧を検出回路９２Ａ，９２Ｂで検出しており、その検出電圧が住戸機２の幹線電源重畳回路２００によって印加される直流電圧よりも低く設定されたしきい値を超えたときにトランジスタＱをオンして幹線リレーの励磁コイル９３Ａ又は９３Ｂに励磁電流を流すことにより、個別通話の対象である住戸機２が分岐接続されている幹線Ｌ１の通話線Ｌａに挿入された幹線リレー接点９１Ａ又は９１Ｂのみが閉成してロビーインターホン１と住戸機２との間に通信路が確立されることになる。
【００１７】
而して、従来例１においては映像信号の伝送損失は低減できるものの、通話線Ｌａについては全ての住戸機２と常に接続されているために音声信号の伝送損失を低減することができず、システムを構成する上で伝送線路の線路長に制限があったが、上述のように従来例２の構成では、幹線Ｌ１の分配点に設けられた経路切替器９によってロビーインターホン１と個別通話する住戸機２が分岐接続された幹線Ｌ１のみをロビーインターホン１に接続し、これ以外の幹線Ｌ１が経路切替器９においてロビーインターホン１から切り離されるようにしているので、上述のように伝送線路の容量成分や誘導成分の増大を抑えて音声信号の伝送損失を低減することができ、伝送線路の線路長の制限を緩和することが可能である。
【特許文献１】実開平６−９２５０号公報
【発明の開示】
【発明が解決しようとする課題】
【００１８】
ところで、火災や地震のような災害発生時等において、集合住宅の管理室に設置された一斉放送機器（例えば、いわゆる警報監視盤などのように音声入力が可能であって幹線を介して各住戸機に音声信号を送信し得る構成を備えた機器）から全ての住戸の住戸機２に対して避難誘導等ための音声を一斉に放送したい場合があり、従来は、幹線Ｌ１とは別に一斉放送用の伝送線路が設けられており、また、これらの機能を実現するための装置が必要であった。この一斉放送の機能は、日常の連絡事項の伝達等にも用いられており、近年では、別装置の導入無しに連絡事項の伝達等の機能に対する要望が高まっており、一斉放送用の専用線を設ける代わりに、通常の個別通話用の通話線Ｌａで一斉放送を行うことが望ましい。
【００１９】
ここで、一斉放送を行うときのシステム動作を従来例２の場合で考えてみる。一斉放送開始を知らせる制御信号（一斉放送開始コマンド）が制御線Ｌｃを介して一斉放送機器から全ての住戸機２に伝送されると、各住戸機２のＣＰＵ２０が住戸機リレーのリレー接点２９を閉成するとともに幹線電源重畳回路２００によって通話線Ｌａに直流電圧を印加する。すると、経路切替器９においては通話線Ｌａに印加された直流電圧を検出して全ての幹線リレー接点９１Ａ及び９１Ｂを閉成するため、全ての住戸機２が幹線Ｌ１と接続される状態となり、一斉放送機器から通話線Ｌａに送出された音声信号が全ての住戸機２に伝送されて一斉放送が可能になる。但し、幹線電源重畳回路２００による直流電圧の印加は全ての住戸機２で行う必要はなく、幹線Ｌ１の各系統に分岐された複数台のうちの少なくとも１台の住戸機２で行えばよい。
【００２０】
ところが、上述のように一斉放送時に複数台の住戸機２から通話線Ｌａに直流電圧が印加されると、各経路切替器９における通話線Ｌａの分配点で印加電圧が衝突してしまい、伝送線路の抵抗成分や印加される直流電圧のばらつきなどに起因した電位差が生じ、その電位差がロビーインターホン１や住戸機２に印加されることで回路の破損等の不具合が生じる虞があった。
【００２１】
本発明は上記事情に鑑みて為されたものであり、その目的は、住戸機から印加される直流電圧の衝突を無くして不具合の発生を防止しながら、個別通話と一斉放送で同じ伝送線路を使用しつつ、個別通話時に、通話路の制御により通話対象でない幹線の通話路を切り離して配線の容量成分による音声信号の伝送損失を低減できる集合住宅用インターホンシステムを提供することにある。
【課題を解決するための手段】
【００２２】
請求項１の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される経路切替器とを備え、伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、住戸機は、共用部装置並びにドアホン子器との間で各々信号線及び子器接続線を介した通話を行う通話手段と、住戸別線の信号線に挿入された常開型の住戸機スイッチ要素と、住戸機スイッチ要素を介して幹線の信号線の線間に直流電圧を印加する幹線電源供給手段と、制御線を介して伝送される制御信号を受信したときに住戸機スイッチ要素を閉成するとともに幹線電源供給手段に直流電圧を印加させる制御手段とを備え、経路切替器は、共用部装置側の幹線から分配された前記複数系統の幹線における信号線にそれぞれ挿入された常開型の複数の幹線スイッチ要素と、各系統の幹線について住戸機の幹線電源供給手段によって信号線間に印加される直流電圧を電源として当該信号線に挿入されている幹線スイッチ要素を閉成するスイッチ要素駆動手段と、各系統の幹線の信号線において幹線スイッチ要素とスイッチ要素駆動手段との間にそれぞれ挿入された複数の直流電圧阻止用コンデンサとを備え、各住戸機では、制御線を介して一斉放送開始を指示する制御信号が伝送され、当該制御信号を受信したときに制御手段が住戸機スイッチ要素を閉成し、各系統の幹線において当該幹線から分岐された住戸別線に接続された複数台の住戸機のうちの何れか１台の住戸機では、制御線を介して一斉放送開始を指示する制御信号が伝送され、当該制御信号を受信したときに制御手段が幹線電源供給手段に直流電圧を印加させることを特徴とする。
【００２３】
この発明によれば、一斉放送開始を指示する制御信号が制御線を介して伝送され、各系統の幹線において当該幹線から分岐された住戸別線に接続された複数台の住戸機のうちの何れか１台の住戸機の制御手段が、当該制御信号を受信したときに幹線電源供給手段から信号線の線間に直流電圧を印加させることにより、経路切替器においては全ての系統の幹線が共用部装置側の幹線と接続されることとなるから個別通話時と同じ伝送線路（信号線）を使って複数台の住戸機に向けた一斉放送が可能であり、しかも、各系統の幹線の信号線において幹線スイッチ要素とスイッチ要素駆動手段との間にはそれぞれ直流電圧阻止用コンデンサが挿入されているため、複数台の住戸機から信号線の線間に印加される直流電圧の衝突を無くして不具合の発生を防止しながら、個別通話時の通話に不要な幹線の伝送線路を接続しなくてよくなり、配線の容量成分による音声信号の伝送損失が低減できる。
【００２４】
請求項２の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される経路切替器とを備え、伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、住戸機は、共用部装置並びにドアホン子器との間で各々信号線及び子器接続線を介した通話を行う通話手段と、住戸別線の信号線に挿入された常開型の住戸機スイッチ要素と、住戸機スイッチ要素を介して幹線の信号線の線間に互いに異なる第１の電圧値及び第２の電圧値を有する２種類の直流電圧を印加する幹線電源供給手段と、制御線を介して個別通話開始を指示する制御信号を受信したときに住戸機スイッチ要素を閉成するとともに幹線電源供給手段に第１の電圧値の直流電圧を印加させ、制御線を介して一斉放送開始を指示する制御信号を受信したときに住戸機スイッチ要素を閉成するとともに幹線電源供給手段に第２の電圧値の直流電圧を印加させる制御手段とを備え、経路切替器は、共用部装置側の幹線から分配された前記複数系統の幹線における信号線にそれぞれ挿入された常開型の複数の幹線スイッチ要素と、各系統の幹線について住戸機の幹線電源供給手段によって信号線間に印加される第１の電圧値及び第２の電圧値の直流電圧を各別に検出し、第１の電圧値の直流電圧が検出されたときは当該信号線に挿入されている幹線スイッチ要素のみを閉成し、第２の電圧値の直流電圧が検出されたときは他の信号線を含む全ての信号線に挿入されている各幹線スイッチ要素を全て閉成するスイッチ要素駆動手段とを備え、各住戸機では、制御線を介して一斉放送開始を指示する制御信号が伝送され、当該制御信号を受信したときに制御手段が住戸機スイッチ要素を閉成し、複数台の住戸機のうちの何れか１台の住戸機では、制御線を介して一斉放送開始を指示する制御信号が伝送され、当該制御信号を受信したときに制御手段が幹線電源供給手段に第２の電圧値の直流電圧を印加させることを特徴とする。
【００２５】
この発明によれば、個別通話のときと一斉放送のときとで住戸機の幹線電源供給手段が信号線の線間に印加する直流電圧を異ならせ、経路切替器では、これら２種類の直流電圧に基づいてスイッチ要素駆動手段が個別通話か一斉放送かを判断するとともに一斉放送と判断したときには全ての幹線スイッチ要素を閉成するため、個別通話時と同じ伝送線路（信号線）を使って複数台の住戸機に向けた一斉放送が可能であり、しかも、一斉放送時にも何れか１台の住戸機のみが信号線の線間に直流電圧を印加すればよく、複数台の住戸機から信号線の線間に印加される直流電圧の衝突を無くして不具合の発生を防止しながら、個別通話時の通話に不要な幹線の伝送線路を接続しなくてよくなり、配線の容量成分による音声信号の伝送損失が低減できる。
【００２６】
請求項３の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される経路切替器と、共用部装置が接続された幹線において共用部装置と経路切替器との間に挿入され、少なくとも複数系統の幹線に分岐接続された全ての住戸機に対して一斉放送を行う一斉放送機器とを備え、伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、住戸機は、共用部装置並びにドアホン子器との間で各々信号線及び子器接続線を介した通話を行う通話手段と、住戸別線の信号線に挿入された常開型の住戸機スイッチ要素と、住戸機スイッチ要素を介して幹線の信号線の線間に直流電圧を印加する幹線電源供給手段と、制御線を介して伝送される制御信号を受信したときに住戸機スイッチ要素を閉成する制御手段とを備え、一斉放送機器は、幹線の信号線の線間に直流電圧を印加する一斉放送電源供給手段を備え、経路切替器は、共用部装置側の幹線から分配された前記複数系統の幹線における信号線にそれぞれ挿入された常開型の複数の幹線スイッチ要素と、各系統の幹線について住戸機の幹線電源供給手段によって信号線間に印加される直流電圧を電源として当該信号線に挿入されている幹線スイッチ要素を閉成するスイッチ要素駆動手段と、共用部装置側の幹線について一斉放送機器の一斉放送電源供給手段によって信号線間に印加される直流電圧を電源として各信号線に挿入されている全ての幹線スイッチ要素を閉成するスイッチ要素一斉駆動手段とを備えたことを特徴とする。
【００２７】
この発明によれば、一斉放送開始を指示する制御信号が制御線を介して伝送されたとき、一斉放送機器の一斉放送電源供給手段が信号線の線間に直流電圧を印加させることにより、経路切替器においてはスイッチ要素一斉駆動手段が全ての幹線スイッチ要素を閉成して全ての系統の幹線を共用部装置側の幹線と接続するため、個別通話時と同じ伝送線路（信号線）を使って複数台の住戸機に向けた一斉放送が可能であり、しかも、一斉放送時には何れの住戸機からも信号線の線間に直流電圧を印加する必要が無く、複数台の住戸機から信号線の線間に印加される直流電圧の衝突を無くして不具合の発生を防止しながら、個別通話時の通話に不要な幹線の伝送線路を接続しなくてよくなり、配線の容量成分による音声信号の伝送損失が低減でき、さらに、一斉放送時に信号線の線間に直流電圧を印加する住戸機を設定するといった制御が不要になるからシステム構成が簡素化できる。
【００２８】
請求項４の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される経路切替器とを備え、伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、住戸機は、共用部装置並びにドアホン子器との間で各々信号線及び子器接続線を介した通話を行う通話手段と、住戸別線の信号線に挿入された常開型の住戸機スイッチ要素と、住戸機スイッチ要素を介して幹線の信号線の線間に直流電圧を印加する幹線電源供給手段と、制御線を介して伝送される制御信号を受信したときに住戸機スイッチ要素を閉成する制御手段とを備え、経路切替器は、共用部装置側の幹線から分配された前記複数系統の幹線における信号線にそれぞれ挿入された常閉型の複数の幹線スイッチ要素と、各系統の幹線について住戸機の幹線電源供給手段によって信号線間に印加される直流電圧を電源として当該信号線に挿入されている幹線スイッチ要素を除く他の全ての幹線スイッチ要素を開成するスイッチ要素駆動手段とを備えたことを特徴とする。
【００２９】
この発明によれば、個別通話の対象である住戸機の幹線電源供給手段から信号線の線間に直流電圧が印加されると、経路切替器においては当該信号線に挿入されている幹線スイッチ要素を除く他の全ての幹線スイッチ要素がスイッチ要素駆動手段により開成されて個別通話の対象外である住戸機が分岐接続された幹線が切り離されるために信号線を介して伝送される音声信号の減衰を抑制することができ、しかも、一斉放送時には何れの住戸機からも信号線の線間に直流電圧を印加する必要が無く、複数台の住戸機から信号線の線間に印加される直流電圧の衝突を無くして不具合の発生を防止しながら、個別通話時の通話に不要な幹線の伝送線路を接続しなくてよくなり、配線の容量成分による音声信号の伝送損失が低減でき、さらに、一斉放送時に信号線の線間に直流電圧を印加する住戸機を設定するといった制御が不要になるからシステム構成が簡素化できる。
【００３０】
請求項５の発明は、請求項４の発明において、経路切替器は、各系統の幹線の信号線において幹線スイッチ要素とスイッチ要素駆動手段との間にそれぞれ挿入された複数の直流電圧阻止用コンデンサと、各系統の幹線について住戸機の幹線電源供給手段によって信号線間に印加される直流電圧を検出したときに、各系統の幹線において幹線スイッチ要素よりも共用部装置側の信号線の線間に直流電圧を印加する第２の幹線電源供給手段とを備えたことを特徴とする。
【００３１】
この発明によれば、個別通話時に何れかの系統の幹線の信号線の線間に印加される直流電圧が直流電圧阻止用コンデンサにより阻止されて別の系統の幹線の信号線の線間に印加されることが無いから、個別通話時に複数系統の幹線が共用部装置側の幹線と接続されることが防止でき、しかも、各系統の幹線において幹線スイッチ要素よりも共用部装置側の信号線の線間には第２の幹線電源供給手段により直流電圧が印加可能であるから、共用部装置と経路切替器との間に別の経路切替器を挿入する場合においても個別通話の対象外である住戸機が分岐接続された幹線が切り離され、信号線を介して伝送される音声信号の減衰を抑制することができる。
【００３２】
請求項６の発明は、請求項４の発明において、経路切替器は、各系統の幹線の信号線において幹線スイッチ要素とスイッチ要素駆動手段との間にそれぞれ挿入された複数の直流電圧阻止用コンデンサと、各直流電圧阻止用コンデンサの両端を短絡する常開型の複数の短絡スイッチ要素と、各系統の幹線について住戸機の幹線電源供給手段によって信号線間に印加される直流電圧を電源として当該信号線に挿入されている直流電圧阻止用コンデンサの両端を短絡する短絡スイッチ要素を閉成する短絡スイッチ要素駆動手段とを備えたことを特徴とする。
【００３３】
この発明によれば、個別通話時に何れかの系統の幹線の信号線の線間に印加される直流電圧が直流電圧阻止用コンデンサにより阻止されて別の系統の幹線の信号線の線間に印加されることが無いから、個別通話時に複数系統の幹線が共用部装置側の幹線と接続されることが防止でき、しかも、各系統の幹線において個別通話時には短絡スイッチ要素が閉成されて直流電圧阻止用コンデンサの両端が短絡されるため、幹線スイッチ要素よりも共用部装置側の信号線の線間にも住戸機の直流電圧が印加可能となり、共用部装置と経路切替器との間に別の経路切替器を挿入する場合においても個別通話の対象外である住戸機が分岐接続された幹線が切り離され、信号線を介して伝送される音声信号の減衰を抑制することができる。
【００３４】
請求項７の発明は、請求項４の発明において、経路切替器は、共通接点を常開の切替接点と常閉の切替接点に切替接続する切替型の前記幹線スイッチ要素と、各系統の幹線の信号線において幹線スイッチ要素の常閉切替接点とスイッチ要素駆動手段との間にそれぞれ挿入された複数の直流電圧阻止用コンデンサとを備え、共通接点を共用部装置側の幹線における信号線に接続するとともに分配された各系統の幹線における信号線に常開の切替接点をそれぞれ接続し、且つ前記直流電圧阻止用のコンデンサを介して常閉の切替接点を他の幹線スイッチ要素における常開の切替接点に接続してなることを特徴とする。
【００３５】
この発明によれば、個別通話時に何れかの系統の幹線の信号線の線間に印加される直流電圧が直流電圧阻止用コンデンサにより阻止されて別の系統の幹線の信号線の線間に印加されることが無いから、個別通話時に複数系統の幹線が共用部装置側の幹線と接続されることが防止でき、しかも、個別通話時に幹線スイッチ要素の共通接点が常閉の切替接点から常開の切替接点へ切り替えられた後は直流電圧阻止用コンデンサがバイパスされるため、幹線スイッチ要素よりも共用部装置側の信号線の線間にも住戸機の直流電圧が印加可能となり、共用部装置と経路切替器との間に別の経路切替器を挿入する場合においても個別通話の対象外である住戸機が分岐接続された幹線が切り離され、信号線を介して伝送される音声信号の減衰を抑制することができる。
【００３６】
請求項８の発明は、請求項４〜７の何れかの発明において、共用部装置が接続された幹線において共用部装置と経路切替器との間に挿入され、少なくとも複数系統の幹線に分岐接続された全ての住戸機に対して一斉放送を行う一斉放送機器を備え、共用部装置は、来訪者を撮像するカメラと、カメラで撮像された映像を伝送する映像信号を音声信号よりも高周波で周波数変調するとともに音声信号を伝送する信号線に周波数多重化する映像信号伝送手段とを備え、住戸機は、信号線を介して伝送される音声信号から映像信号を分離するとともに分離した映像信号を復調する映像信号分離復調手段と、復調された映像信号により共用部装置のカメラで撮像された映像を表示するモニタとを備え、一斉放送機器は、共用部装置と住戸機との間で個別通話が行われるときに音声信号の周波数及び映像信号の搬送波周波数の何れとも異なる周波数を有した判別信号を信号線に重畳する信号重畳手段を備え、経路切替器は、各系統の幹線について信号線に重畳された前記判別信号を検出する複数の判別信号検出手段を備え、各スイッチ要素駆動手段は、判別信号検出手段により信号線に重畳された判別信号を検出しているときに当該信号線に挿入された幹線スイッチ要素を開成することを特徴とする。
【００３７】
この発明によれば、共用部装置から選択された１台の住戸機が信号線の線間に直流電圧を印加し且つ一斉放送機器から信号線に重畳する判別信号を判別信号検出手段により検出しているときに経路切替器のスイッチ要素駆動手段が幹線スイッチ要素を開成するため、個別通話への経路の切替が確実に行える。
【００３８】
請求項９の発明は、請求項４〜７の何れかの発明において、共用部装置は、来訪者を撮像するカメラと、カメラで撮像された映像を伝送する映像信号を音声信号よりも高周波で周波数変調するとともに音声信号を伝送する信号線に周波数多重化する映像信号伝送手段とを備え、住戸機は、個別通話時に信号線を介して伝送される音声信号から映像信号を分離するとともに分離した映像信号を復調する映像信号分離復調手段と、復調された映像信号により共用部装置のカメラで撮像された映像を表示するモニタとを備え、経路切替器は、各系統の幹線について信号線を介して伝送される映像信号の搬送波を検出する複数の搬送波検出手段を備え、スイッチ要素駆動手段は、搬送波検出手段により信号線を介して伝送される映像信号の搬送波を検出しているときに当該信号線に挿入された幹線スイッチ要素を閉成状態とし且つ他の信号線に挿入された幹線スイッチ要素を開成状態とし、搬送波検出手段により信号線を介して伝送される映像信号の搬送波を検出していないときに各信号線に挿入された幹線スイッチ要素を全て閉成状態とすることを特徴とする。
【００３９】
この発明によれば、共用部装置から選択された１台の住戸機が信号線の線間に直流電圧を印加し且つ搬送波検出手段により信号線を介して伝送される映像信号の搬送波を検出しているときに経路切替器のスイッチ要素駆動手段が幹線スイッチ要素を開成するため、個別通話への経路の切替が確実に行える。
【発明の効果】
【００４０】
請求項１の発明によれば、一斉放送開始を指示する制御信号が制御線を介して伝送され、各系統の幹線において当該幹線から分岐された住戸別線に接続された複数台の住戸機のうちの何れか１台の住戸機の制御手段が、当該制御信号を受信したときに幹線電源供給手段から信号線の線間に直流電圧を印加させることにより、経路切替器においては全ての系統の幹線が共用部装置側の幹線と接続されることとなるから個別通話時と同じ伝送線路（信号線）を使って複数台の住戸機に向けた一斉放送が可能であり、しかも、各系統の幹線の信号線において幹線スイッチ要素とスイッチ要素駆動手段との間にはそれぞれ直流電圧阻止用コンデンサが挿入されているため、複数台の住戸機から信号線の線間に印加される直流電圧の衝突を無くして不具合の発生を防止しながら、個別通話時の通話に不要な幹線の伝送線路を接続しなくてよくなり、配線の容量成分による音声信号の伝送損失が低減できるという効果がある。
【発明を実施するための最良の形態】
【００４１】
従来の技術として説明したように、伝送線路のうち制御線Ｌｃは共用部装置（ロビーインターホン）１が相手先の住戸機２を選択するための制御信号を伝送するから、ロビーインターホン１および住戸機２において制御線Ｌｃに接続される回路は常時動作させておくことが必要である。つまり、ロビーインターホン１が住戸機２を選択するためのアドレスを含む制御信号は、すべての住戸機２に伝送されるから、すべての住戸機２において制御信号送受信回路２６およびＣＰＵ２０は常時作動する。これに対して、音声信号および映像信号に対する処理は住戸機２の選択後に行えばよいから、音声信号と映像信号とは一括して扱うことができ、しかも、音声信号と映像信号とは周波数帯域が異なるから（音声信号に対して映像信号は周波数が十分に高い）、周波数多重化の技術によって多重化することができる。
【００４２】
そこで、以下に説明する実施形態では、ロビーインターホン１と幹線制御装置３との間は図１０に示した従来構成と同様に３対のペア線からなる伝送線路を介して接続するが、幹線制御装置３において音声信号と映像信号とを多重化することにより、幹線制御装置３から先においては伝送線路に用いる線数を従来構成よりも低減した例について説明する。なお、制御信号はロビーインターホン１から住戸機２の呼出に用いるだけではなく、一斉放送の開始を指示する目的にも用いられる。この種の制御信号にはベースバンド信号を用いることもあり、ベースバンド信号は周波数帯域が広く、音声信号や映像信号との分離が困難であるから、このことからも音声信号および映像信号と制御信号とを各別に伝送することが伝送品質の点から必要になる。また、以下の説明では経路切替器１０で幹線Ｌ１を分けることを「分配」と呼び、幹線Ｌ１から住戸別線Ｌ２を分けることを「分岐」と呼ぶ。
（実施形態１）
本実施形態は、図１に示すように、ロビーインターホン１に対して３対のペア線からなる伝送線路を介して幹線制御装置３を接続し、さらに幹線制御装置３と複数台の住戸機２とを２対のペア線からなる伝送線路を介して接続したものである。２対のペア線からなる伝送線路は、図１０に示した従来構成と同様にロビーインターホン１に接続される幹線Ｌ１と、住戸機２に接続される住戸別線Ｌ２とからなり、幹線Ｌ１と住戸別線Ｌ２との間には分岐器７が挿入され、幹線分配器４の代わりに、複数台の住戸機２がそれぞれ分岐接続された複数系統の幹線Ｌ１とロビーインターホン１が接続された幹線Ｌ１との間に経路切替器１０が挿入される。図１を見ればわかるように、本実施形態の基本的な構成は図１０又は図１１に示した従来構成と同様であって、図１において図１０及び図１１に示した従来構成と同機能の構成には同符号を付してある。
【００４３】
本実施形態と従来構成との主な相違点は、図１０に示した従来構成における伝送線路では通話線Ｌａと映像線Ｌｂと制御線Ｌｃとの３対のペア線を用いていたのに対して、本実施形態では、ロビーインターホン１と幹線制御装置３の間の伝送線路は同じく３対のペア線を用いるが、幹線制御装置３から住戸機２までの伝送線路には信号線Ｌｄと制御線Ｌｃとの２対のペア線を用いている点である。但し、ロビーインターホン１と幹線制御装置３との間では、図１０に示した従来構成と同様に通話制御装置５を介して通話線Ｌａ及び制御線Ｌｃが接続されている。
【００４４】
信号線Ｌｄは音声信号と映像信号とをともに伝送するものであって、音声信号と映像信号との両方で信号線Ｌｄを用いるために、幹線制御装置３及び住戸機２にはそれぞれ多重分離回路２０１を設けている。住戸機２に用いている多重分離回路２０１は、音声回路２４ｃと信号線Ｌｄとの間に挿入される低周波通過部２０１ａと、結合トランス２５ｃと信号線Ｌｄとの間に挿入される高周波通過部２０１ｂとからなる（但し、幹線制御装置３については図示並びに説明を省略する。）。低周波通過部２０１ａは音声信号伝送帯域に対して低インピーダンスであって映像信号帯域に対して高インピーダンスのものを用い、高周波通過部２０１ｂは音声信号伝送帯域に対して高インピーダンスであって映像信号伝送帯域に対して低インピーダンスのものを用いる。図示例では、低周波通過部２０１ａとしてインダクタを用い、高周波通過部２０１ｂとしてコンデンサを用いている。尚、低周波通過部２０１ａよりも音声回路２４ｃ側で信号線Ｌｄの線間に幹線電源重畳回路２００により直流電圧が印加されるようになっており、この直流電圧が音声信号に与える影響を取り除くために低周波通過部２０１ａと音声回路２４ｃとの間には直流電圧を阻止するコンデンサ２０２並びに音声信号を通過させる結合トランス２０３が挿入されている。
【００４５】
本実施形態に用いる経路切替器１０は、１系統の幹線Ｌ１（信号線Ｌｄ及び制御線Ｌｃ）が２系統の幹線Ｌ１に分配され、分配された２系統の各幹線Ｌ１における信号線Ｌｄに常開型の幹線リレー接点１０１Ａ，１０１Ｂがそれぞれ挿入されている。また、経路切替器１０は、幹線リレー接点１０１Ａ，１０１Ｂよりも住戸機２側において信号線Ｌｄの線間電圧から直流成分を分離するとともに分離した直流成分を電源として幹線リレー（図示せず）を駆動することにより幹線リレー接点１０１Ａ，１０１Ｂを開閉する幹線リレー駆動部１０２Ａ，１０２Ｂを備えている。この幹線リレー駆動部１０２Ａ，１０２Ｂは、音声信号並びに映像信号の通過を阻止する一対のインダクタ１０２ａと、交流入力端がそれぞれインダクタ１０２ａを介して信号線Ｌｄに接続されたダイオードブリッジ１０２ｂと、ダイオードブリッジ１０２ｂの脈流出力端から取り出した直流電圧を定電圧化して幹線リレーの励磁コイルに励磁電流を流す駆動回路１０２ｃとで構成されている。さらに、各系統の幹線Ｌ１における信号線Ｌｄにおいて幹線リレー接点１０１Ａ，１０１Ｂと幹線リレー駆動部１０２Ａ，１０２Ｂとの間には、音声信号並びに映像信号を通過させるとともに直流電圧を阻止する直流電圧阻止用のコンデンサ１０３Ａ，１０３Ｂがそれぞれ挿入されている。但し、経路切替器１０が商用電源から電源を得る電源回路を備え、電源回路によって幹線リレーの駆動電源を得るとともに、住戸機２によって信号線Ｌｄの線間に印加される直流電圧を検出する検出回路を設け、検出回路で直流電圧を検出したときに幹線リレーを駆動させる構成としてもよい。
【００４６】
次に本実施形態の要部の動作を説明する。但し、以下では説明を簡単にするために、幹線制御装置３と経路切替器１０の間を接続する幹線Ｌ１を幹線Ｌ１0、経路切替器１０を介して分配された２系統の幹線Ｌ１をそれぞれ幹線Ｌ１1及び幹線Ｌ１2と表記し、一方の幹線Ｌ１1に分岐器７を介して分岐接続された複数台の住戸機２を住戸機２11，２12，…、他方の幹線Ｌ１2に分岐器７を介して分岐接続された複数台の住戸機２を住戸機２21，２22，…と表記する。
【００４７】
まず、ロビーインターホン１と、ロビーインターホン１で選択された１台の住戸機２（例えば、住戸機２11）との間で個別通話する場合について説明する。ロビーインターホン１で選択された住戸機２11に対して通話制御装置５から制御線Ｌｃを介して制御信号（呼出コマンド）が伝送され、この制御信号に含まれるアドレスが一致した住戸機２11では、ＣＰＵ２０が呼出コマンドに応じて住戸機リレーのリレー接点２９を閉成するとともに幹線電源重畳回路２００によって幹線Ｌ１1における信号線Ｌｄの線間に直流電圧を印加し、さらに音声回路２４ｃを通じてスピーカ２１ｂから呼出音を送出させる。経路切替器１０の幹線リレー駆動部１０２Ａでは、幹線Ｌ１1における信号線Ｌｄの線間に直流電圧が印加されると、一方の幹線リレー駆動部１０２Ａにおける駆動回路１０２ｃが動作して幹線リレーの励磁コイルに励磁電流を流すことにより幹線リレーを駆動し、直流電圧が印加されている幹線Ｌ１1における信号線Ｌｄに挿入された幹線リレー接点１０１Ａを閉成する。さらにロビーインターホン１に選択された住戸機１では、ＣＰＵ２０がＦＭ復調部２５ａやモニタ２２を起動し、経路切替器１０の幹線リレー接点１０１Ａが閉成されることで信号線Ｌｄを介して伝送されるＦＭ映像信号をＦＭ復調部２５ａで周波数復調してロビーインターホン１のカメラにおいて撮像された来訪者の映像を住戸機２のモニタ２２に表示させる。そして、ロビーインターホン１からの呼出に応答して居住者が住戸機２11の応答釦（図示せず）を押操作すると、住戸機２11のＣＰＵ２０が音声回路２４ｃを起動する。一方、ロビーインターホン１に選択されなかった住戸機２12，…、２21，…では、ＣＰＵ２０が住戸機リレーのリレー接点２９を閉成せず、また幹線電源重畳回路２００によって信号線Ｌｄの線間に直流電圧を印加しないから、ロビーインターホン１に選択されなかった住戸機２21，…のみが分岐接続されている幹線Ｌ１2においては、幹線リレー接点１０１Ｂが開成された状態のままとなる。
【００４８】
上述した動作により、経路切替器１０においては２系統の幹線Ｌ１1，Ｌ１2のうちでロビーインターホン１に選択された住戸機２11が分岐接続された幹線Ｌ１1のみが幹線制御装置３側の幹線Ｌ１0と接続され、他方の幹線Ｌ１2が幹線制御装置３側の幹線Ｌ１0と切り離されるから、ロビーインターホン１と選択された住戸機２11との間でのみ通話が可能になるとともに、選択された住戸機２11でのみロビーインターホン１のカメラで撮像された来訪者をモニタ２２に表示することが可能になる。
【００４９】
次に、集合住宅の管理室に設置された一斉放送機器（例えば、いわゆる警報監視盤などのように音声入力が可能であって幹線を介して各住戸機に音声信号を送信し得る構成を備えた機器）から全ての住戸の住戸機２に対して避難誘導等のための音声を一斉に放送する場合について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成するとともに、各系統の幹線Ｌ１1，Ｌ１2に分岐接続された複数台の住戸機２のうちの何れか１台ずつ（例えば、住戸機２11及び住戸機２21）においてのみＣＰＵ２０が幹線電源重畳回路２００によって幹線Ｌ１1，Ｌ１2における信号線Ｌｄの線間に直流電圧を印加する。経路切替器１０の幹線リレー駆動部１０２Ａ，１０２Ｂでは、幹線Ｌ１1，Ｌ１2における信号線Ｌｄの線間に直流電圧が印加されることにより、２つの幹線リレー駆動部１０２Ａ，１０２Ｂにおける駆動回路１０２ｃが双方とも動作して幹線リレーの励磁コイルに励磁電流を流すことにより幹線リレーを駆動し、各幹線Ｌ１1，Ｌ１2における信号線Ｌｄに挿入された幹線リレー接点１０１Ａ，１０１Ｂを双方とも閉成する。
【００５０】
そして、一斉放送を終了するに当たっては、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成するとともに住戸機２11及び住戸機２21のＣＰＵ２０が幹線電源重畳回路２００による信号線Ｌｄの線間への直流電圧印加を停止する。経路切替器１０の幹線リレー駆動部１０２Ａ，１０２Ｂでは、幹線Ｌ１1，Ｌ１2における信号線Ｌｄの線間への直流電圧印加が停止されることにより、２つの幹線リレー駆動部１０２Ａ，１０２Ｂにおける駆動回路１０２ｃが双方とも停止し、各幹線Ｌ１1，Ｌ１2における信号線Ｌｄに挿入された幹線リレー接点１０１Ａ，１０１Ｂを開成する。
【００５１】
上述した動作により、経路切替器１０においては２系統の幹線Ｌ１1，Ｌ１2が双方とも幹線制御装置３側の幹線Ｌ１0と接続されるから、一斉放送機器から通話制御装置５を介して通話線Ｌａに送出される一斉放送用の音声信号が各幹線Ｌ１1，Ｌ１2にそれぞれ分岐接続されている全ての住戸機２に伝送されてスピーカ２１ｂから出力される。このとき、経路切替器１０では各幹線Ｌ１1，Ｌ１2における信号線Ｌｄに直流電圧阻止用のコンデンサ１０３Ａ，１０３Ｂがそれぞれ挿入されているため、２つの系統の幹線Ｌ１1，Ｌ１2において各々住戸機２11，２21の幹線電源重畳回路２００により信号線Ｌｄの線間に印加された直流電圧が直流電圧阻止用のコンデンサ１０３Ａ，１０３Ｂで阻止されて衝突することがない。
【００５２】
このように本実施形態によれば、一斉放送開始を指示する制御信号（一斉放送開始コマンド）が制御線Ｌｃを介して伝送され、各系統の幹線Ｌ１1，Ｌ１2において当該幹線Ｌ１1，Ｌ１2に分岐接続された複数台の住戸機２のうちの何れか１台の住戸機２（例えば、住戸機２11と住戸機２21）のＣＰＵ２０が一斉放送開始コマンドを受信したときに幹線電源重畳回路２００から信号線Ｌｄの線間に直流電圧を印加させることにより、経路切替器１０においては全ての系統の幹線Ｌ１1，Ｌ１2がロビーインターホン１側の幹線Ｌ１0と接続されることとなるから個別通話時と同じ伝送線路（信号線Ｌｄ）を使って複数台の住戸機２に向けた一斉放送が可能となる。しかも、各系統の幹線Ｌ１1，Ｌ１2の信号線Ｌｄにおいて幹線リレー接点１０１Ａ，１０１Ｂと幹線リレー駆動部１０２Ａ，１０２Ｂとの間にはそれぞれ直流電圧阻止用コンデンサ１０３Ａ，１０３Ｂが挿入されているため、複数台の住戸機２（例えば、住戸機２11と住戸機２21の２台）から信号線Ｌｄの線間に印加される直流電圧の衝突を無くして不具合の発生を防止することができる。
【００５３】
尚、本実施形態では一斉放送の対象をシステムに含まれる全ての住戸機２として説明したが、必ずしも全ての住戸機２を一斉放送の対象とする必要はなく、例えば、一斉放送の内容に応じて対象とする住戸機２を限定してもよく、複数系統の幹線Ｌ１1，Ｌ１2にそれぞれ分岐接続されている複数台の住戸機２を一斉放送の対象とする場合に直流電圧阻止用コンデンサ１０３Ａ，１０３Ｂによる直流電圧の衝突防止が図れるものである。
【００５４】
（実施形態２）
本実施形態は、図２に示すように住戸機２の幹線電源重畳回路２００が個別通話時と一斉放送時とで互いに電圧値が異なる２種類の直流電圧を信号線Ｌｄの線間に印加可能であり、経路切替器１０では信号線Ｌｄの線間に印加される直流電圧の電圧値に基づいて個別通話と一斉放送を判別し、その判別結果に応じて幹線リレー接点１０１Ａ，１０１Ｂを開閉するようにした点に特徴がある。但し、本実施形態の基本構成は実施形態１と共通であるから、共通の構成要素には同一の符号を付して説明を省略する。
【００５５】
住戸機２の幹線電源重畳回路２００は、第１の電圧値（例えば、３０Ｖ）と第２の電圧値（例えば、１０Ｖ）の２種類の直流電圧を信号線Ｌｄの線間に印加できるものであって、第１の電圧値と第２の電圧値の切替については、外部から供給される２種類の電源（３０Ｖ用の電源と１０Ｖ用の電源）の入力をＣＰＵ２０で制御される切替スイッチＳＷにより切り替えることで行われる。すなわち、住戸機２のＣＰＵ２０では、個別通話の呼出コマンドの制御信号を受け取ったときに切替スイッチＳＷを３０Ｖ用の電源に切り替えて幹線電源重畳回路２００から第１の電圧値（３０Ｖ）の直流電圧を信号線Ｌｄの線間に印加させ、一斉放送開始コマンドの制御信号を受け取ったときに切替スイッチＳＷを１０Ｖ用の電源に切り替えて幹線電源重畳回路２００から第２の電圧値（１０Ｖ）の直流電圧を信号線Ｌｄの線間に印加させるのである。
【００５６】
一方、経路切替器１０の幹線リレー駆動部１０２Ａ，１０２Ｂは、インダクタ１０２ａ、ダイオードブリッジ１０２ｂ、駆動回路１０２ｃに加えて信号線Ｌｄの線間に印加された第１の電圧値の直流電圧と第２の電圧値の直流電圧を各別に検出する電圧検出回路１０２ｄを有している。この電圧検出回路１０２ｄでは、信号線Ｌｄの線間に印加された直流電圧の電圧値を第１の電圧値と第２の電圧値との間に設定されたしきい値（例えば、２０Ｖ）と比較することで第１及び第２の電圧値の直流電圧を各別に検出し、個別通話に対応する第１の電圧値の直流電圧を検出したときには当該信号線Ｌｄに挿入されている幹線リレー接点１０１Ａ（又は１０１Ｂ）のみを駆動回路１０２ｃによって閉成させ、一斉放送に対応する第２の電圧値の直流電圧を検出したときには各幹線Ｌ１1，Ｌ１2の信号線Ｌｄに挿入されている幹線リレー接点１０１Ａ及び１０１Ｂを駆動回路１０２ｃによって全て閉成させるのである。
【００５７】
次に本実施形態の要部の動作を説明する。まず、ロビーインターホン１と、ロビーインターホン１で選択された１台の住戸機２（例えば、住戸機２11）との間で個別通話する場合について説明する。ロビーインターホン１で選択された住戸機２11に対して通話制御装置５から制御線Ｌｃを介して制御信号（呼出コマンド）が伝送され、この制御信号に含まれるアドレスが一致した住戸機２11では、ＣＰＵ２０が呼出コマンドに応じて住戸機リレーのリレー接点２９を閉成するとともに切替スイッチＳＷを３０Ｖ用の電源側に切り替えて幹線電源重畳回路２００により幹線Ｌ１1における信号線Ｌｄの線間に第１の電圧値（３０Ｖ）の直流電圧を印加し、さらに音声回路２４ｃを通じてスピーカ２１ｂから呼出音を送出させる。経路切替器１０の幹線リレー駆動部１０２Ａでは、幹線Ｌ１1における信号線Ｌｄの線間に第１の電圧値の直流電圧が印加されると電圧検出回路１０２ｄが第１の電圧値の直流電圧を検出し、駆動回路１０２ｃが動作して幹線リレーの励磁コイルに励磁電流を流すことにより幹線リレーを駆動し、直流電圧が印加されている幹線Ｌ１1における信号線Ｌｄに挿入された幹線リレー接点１０１Ａのみを閉成する。さらにロビーインターホン１に選択された住戸機１では、ＣＰＵ２０がＦＭ復調部２５ａやモニタ２２を起動し、経路切替器１０の幹線リレー接点１０１Ａが閉成されることで信号線Ｌｄを介して伝送されるＦＭ映像信号をＦＭ復調部２５ａで周波数復調してロビーインターホン１のカメラにおいて撮像された来訪者の映像を住戸機２のモニタ２２に表示させる。そして、ロビーインターホン１からの呼出に応答して居住者が住戸機２11の応答釦（図示せず）を押操作すると、住戸機２11のＣＰＵ２０が音声回路２４ｃを起動する。一方、ロビーインターホン１に選択されなかった住戸機２12，…、２21，…では、ＣＰＵ２０が住戸機リレーのリレー接点２９を閉成せず、また幹線電源重畳回路２００によって信号線Ｌｄの線間に直流電圧を印加しないから、ロビーインターホン１に選択されなかった住戸機２21，…のみが分岐接続されている幹線Ｌ１2においては、幹線リレー接点１０１Ｂが開成された状態のままとなる。
【００５８】
上述した動作により、経路切替器１０においては２系統の幹線Ｌ１1，Ｌ１2のうちでロビーインターホン１に選択された住戸機２11が分岐接続された幹線Ｌ１1のみが幹線制御装置３側の幹線Ｌ１0と接続され、他方の幹線Ｌ１2が幹線制御装置３側の幹線Ｌ１0と切り離されるから、ロビーインターホン１と選択された住戸機２11との間でのみ通話が可能になるとともに、選択された住戸機２11でのみロビーインターホン１のカメラで撮像された来訪者をモニタ２２に表示することが可能になる。
【００５９】
次に、集合住宅の管理室に設置された一斉放送機器から全ての住戸の住戸機２に対して避難誘導等のための音声を一斉に放送する場合について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成するとともに、各系統の幹線Ｌ１1，Ｌ１2に分岐接続された複数台の住戸機２のうちの何れか１台（例えば、住戸機２11）においてのみＣＰＵ２０が切替スイッチＳＷを１０Ｖ用の電源側に切り替えて幹線電源重畳回路２００により幹線Ｌ１1における信号線Ｌｄの線間に第２の電圧値（１０Ｖ）の直流電圧を印加する。経路切替器１０の幹線リレー駆動部１０２Ａでは、幹線Ｌ１1における信号線Ｌｄの線間に第２の電圧値の直流電圧が印加されると電圧検出回路１０２ｄが第２の電圧値の直流電圧を検出し、駆動回路１０２ｃが動作して幹線リレーの励磁コイルに励磁電流を流すことにより幹線リレーを駆動し、全ての幹線Ｌ１1，Ｌ１2における信号線Ｌｄに挿入された幹線リレー接点１０１Ａ，１０１Ｂを双方とも閉成する。
【００６０】
そして、一斉放送を終了するに当たっては、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成するとともに住戸機２11のＣＰＵ２０が幹線電源重畳回路２００による信号線Ｌｄの線間への直流電圧印加を停止する。経路切替器１０の幹線リレー駆動部１０２Ａでは、幹線Ｌ１1における信号線Ｌｄの線間への直流電圧印加が停止されることにより、駆動回路１０２ｃが停止し、各幹線Ｌ１1，Ｌ１2における信号線Ｌｄに挿入された幹線リレー接点１０１Ａ，１０１Ｂを開成する。
【００６１】
上述した動作により、経路切替器１０においては２系統の幹線Ｌ１1，Ｌ１2が双方とも幹線制御装置３側の幹線Ｌ１0と接続されるから、一斉放送機器から通話制御装置５を介して通話線Ｌａに送出される一斉放送用の音声信号が各幹線Ｌ１1，Ｌ１2にそれぞれ分岐接続されている全ての住戸機２に伝送されてスピーカ２１ｂから出力される。
【００６２】
而して本実施形態によれば、個別通話のときと一斉放送のときとで住戸機２の幹線電源重畳回路２００が信号線Ｌｄの線間に印加する直流電圧を異ならせ、経路切替器１０では、これら２種類の直流電圧を電圧検出回路１０２ｄにより各別に検出し、その検出結果に基づいて幹線リレー駆動部１０２Ａ又は１０２Ｂで個別通話か一斉放送かを判断するとともに一斉放送と判断したときには全ての幹線リレー接点１０１Ａ，１０１Ｂを閉成するため、個別通話時と同じ信号線Ｌｄを使って複数台の住戸機２に向けた一斉放送が可能であり、しかも、一斉放送時にも何れか１台の住戸機２のみが信号線Ｌｄの線間に直流電圧を印加すればよく、複数台の住戸機２から信号線Ｌｄの線間に印加される直流電圧の衝突を無くして不具合の発生を防止することができる。
【００６３】
尚、本実施形態においても全ての住戸機２を一斉放送の対象とする必要はなく、例えば、一斉放送の内容に応じて対象とする住戸機２を限定してもよい。
【００６４】
（実施形態３）
実施形態１では、個別通話時だけでなく一斉放送時にも住戸機２の幹線電源重畳回路２００から信号線Ｌｄの線間に直流電圧を印加して経路切替器１０における幹線リレー駆動部１０２Ａ，１０２Ｂを動作させるように構成しているのに対し、本実施形態は、図３に示すように一斉放送時における経路切替器１０の幹線リレー駆動部１０２Ａ，１０２Ｂの動作用直流電圧を通話制御装置５から供給するようにした点に特徴がある。尚、その他の基本構成は実施形態１と共通であるから、共通の構成要素には同一の符号を付して説明を省略する。
【００６５】
本実施形態の通話制御装置５は一斉放送機器を兼ねており、図３に示すように音声を入出力するマイクロホン５１ａ及びスピーカ５１ｂを備え、マイクロホン５１ａとスピーカ５１ｂとはそれぞれ増幅器５４ａ，５４ｂを介して音声回路５４ｃに接続されている。音声回路５４ｃは、２線の通話線Ｌａと２個の増幅器５４ａ，５４ｂの入力線及び出力線とを２線４線変換する回路を含み、マイクロホン５１ａから入力される音声信号を通話線Ｌａに送出し、通話線Ｌａからの音声信号をスピーカ５１ｂ側に出力する機能を備えている。したがって、通話制御装置５とロビーインターホン１及び住戸機２との間で通話線Ｌａを通して音声信号を授受することができ、管理人が通話制御装置５を用いるとともに来訪者がロビーインターホン１を用いることによって管理人と来訪者との間で音声通話が可能になり、また、管理人が通話制御装置５を用いるとともに居住者が住戸機２を用いることによって管理人と居住者との間でも音声通話が可能となる。
【００６６】
通話制御装置５には内部回路を制御するＣＰＵ５０が設けられ、ＣＰＵ５０には制御線Ｌｃとのインタフェースとなる制御信号送受信回路５２が接続される。制御信号送受信回路５２は、ＣＰＵ５０から出力された制御信号を制御線Ｌｃに送出し、制御線Ｌｃから受信した制御信号をＣＰＵ５０に引き渡す機能を有する。また通話制御装置５には、一斉放送時において通話線Ｌａの線間に直流電圧を印加する一斉放送用幹線電源重畳回路５３が設けられるとともに、この直流電圧が音声信号に与える影響を取り除くために一斉放送用幹線電源重畳回路５３と音声回路５４ｃとの間には直流電圧を阻止するコンデンサ５５並びに音声信号を通過させる結合トランス５６が挿入されている。尚、通話制御装置５の内部電源は、電源回路５４によって商用電源（交流１００Ｖ）から生成される。
【００６７】
一方、経路切替器１０は、ロビーインターホン１側の幹線Ｌ１0における信号線Ｌｄの線間電圧から直流成分を分離するとともに分離した直流成分を電源として幹線リレー１０４Ａ，１０４Ｂを駆動することにより幹線リレー接点１０１Ａ，１０１Ｂを閉成する一斉放送用幹線リレー駆動部１０５を備えている。この一斉放送用幹線リレー駆動部１０５は、音声信号並びに映像信号の通過を阻止する一対のインダクタ１０５ａと、交流入力端がそれぞれインダクタ１０５ａを介して信号線Ｌｄに接続されたダイオードブリッジ１０５ｂと、ダイオードブリッジ１０５ｂの脈流出力端から取り出した直流電圧を定電圧化して幹線リレー１０４Ａ，１０４Ｂの励磁コイルに励磁電流を流す駆動回路１０５ｃとで構成されている。
【００６８】
次に本実施形態の要部の動作を説明する。但し、ロビーインターホン１又は通話制御装置５と選択された何れか１台の住戸機２との間で個別通話する場合の動作については実施形態１と共通であるから説明を省略し、通話制御装置５から全ての住戸機２に対して一斉放送する場合の動作についてのみ説明する。
【００６９】
一斉放送を開始する際、通話制御装置５ではＣＰＵ５０が制御信号送受信回路５２から制御線Ｌｃに対して制御信号（一斉放送開始コマンド）を送出するとともに、一斉放送用幹線電源重畳回路５３により通話線Ｌａの線間に直流電圧を印加する。制御線Ｌｃに送出された制御信号（一斉放送開始コマンド）が幹線Ｌ１1，Ｌ１2に分岐接続されている全ての住戸機２に伝送され、この一斉放送開始コマンドに応じて全ての住戸機２のＣＰＵ２０が住戸機リレーのリレー接点２９を閉成する。一方、通話線Ｌａの線間に印加された直流電圧は幹線制御装置３を介して信号線Ｌｄの線間に印加される。経路切替器１０の一斉放送用幹線リレー駆動部１０５では、幹線Ｌ１0における信号線Ｌｄの線間に直流電圧が印加されることにより、駆動回路１０５ｃが動作して幹線リレー１０４Ａ，１０４Ｂの励磁コイルに励磁電流を流すことにより幹線リレー１０４Ａ，１０４Ｂを駆動し、各幹線Ｌ１1，Ｌ１2における信号線Ｌｄに挿入された幹線リレー接点１０１Ａ，１０１Ｂを双方とも閉成する。ここで、経路切替器１０では各幹線Ｌ１1，Ｌ１2における信号線Ｌｄに直流電圧阻止用のコンデンサ１０３Ａ，１０３Ｂがそれぞれ挿入されているから、通話制御装置５の一斉放送用幹線電源重畳回路５３により印加された直流電圧が住戸機２へ印加されることはない。
【００７０】
そして、一斉放送を終了するに当たっては、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成するとともに通話制御装置５のＣＰＵ５０が一斉放送用幹線電源重畳回路５３による通話線Ｌａの線間への直流電圧印加を停止する。経路切替器１０の一斉放送用幹線リレー駆動部１０５では、幹線Ｌ１0における信号線Ｌｄの線間への直流電圧印加が停止されることにより、幹線リレー駆動部１０５における駆動回路１０５ｃが停止し、各幹線Ｌ１1，Ｌ１2における信号線Ｌｄに挿入された幹線リレー接点１０１Ａ，１０１Ｂを開成する。
【００７１】
上述した動作により、経路切替器１０においては２系統の幹線Ｌ１1，Ｌ１2が双方とも幹線制御装置３側の幹線Ｌ１0と接続されるから、一斉放送機器から通話制御装置５を介して通話線Ｌａに送出される一斉放送用の音声信号が各幹線Ｌ１1，Ｌ１2にそれぞれ分岐接続されている全ての住戸機２に伝送されてスピーカ２１ｂから出力される。このとき、経路切替器１０の幹線リレー１０４Ａ，１０４Ｂは、通話制御装置５によって信号線Ｌｄの線間に印加された直流電圧を電源として一斉放送用幹線リレー駆動部１０５により駆動され、何れの住戸機２からも信号線Ｌｄの線間に直流電圧を印加する必要がないから、一斉放送時に信号線Ｌｄの線間に印加される直流電圧の衝突も生じない。しかも、一斉放送時に信号線Ｌｄの線間に直流電圧を印加する住戸機２を設定するといった制御が不要になるから、実施形態１に比較してシステム構成が簡素化できるという利点がある。
【００７２】
尚、本実施形態においても全ての住戸機２を一斉放送の対象とする必要はなく、例えば、一斉放送の内容に応じて対象とする住戸機２を限定してもよい。
【００７３】
（実施形態４）
本実施形態は、図４に示すように経路切替器１０における幹線リレー接点１０１Ａ，１０１Ｂを常閉型とした点に特徴があり、その他の基本構成は実施形態１と共通であるから、共通の構成要素には同一の符号を付して説明を省略する。
【００７４】
本実施形態に用いる経路切替器１０は、図４に示すように幹線Ｌ１0から分配された２系統の各幹線Ｌ１1，Ｌ１2における信号線Ｌｄに常閉型の幹線リレー接点１０１Ｃ，１０１Ｄがそれぞれ挿入されている。また、経路切替器１０は、幹線リレー接点１０１Ｃ，１０１Ｄよりも住戸機２側において信号線Ｌｄの線間電圧から直流成分を分離するとともに分離した直流成分を電源として幹線リレー（図示せず）を駆動することにより幹線リレー接点１０１Ｃ，１０１Ｄを開成する幹線リレー駆動部１０２Ｃ，１０２Ｄを備えている。この幹線リレー駆動部１０２Ｃ，１０２Ｄは、音声信号並びに映像信号の通過を阻止する一対のインダクタ１０２ａと、交流入力端がそれぞれインダクタ１０２ａを介して幹線Ｌ１2，Ｌ１1における信号線Ｌｄにそれぞれ接続されたダイオードブリッジ１０２ｂと、ダイオードブリッジ１０２ｂの脈流出力端から取り出した直流電圧を定電圧化して幹線リレーの励磁コイルに励磁電流を流す駆動回路１０２ｃとで構成されている。さらに、各系統の幹線Ｌ１1，Ｌ１2における信号線Ｌｄにおいて幹線リレー接点１０１Ｃ，１０１Ｄと幹線リレー駆動部１０２Ｄ，１０２Ｃとの間には、音声信号並びに映像信号を通過させるとともに直流電圧を阻止する直流電圧阻止用のコンデンサ１０３Ｃ，１０３Ｄがそれぞれ挿入されている。
【００７５】
次に本実施形態の要部の動作を説明する。まず、ロビーインターホン１と、ロビーインターホン１で選択された１台の住戸機２（例えば、住戸機２11）との間で個別通話する場合について説明する。ロビーインターホン１で選択された住戸機２11に対して通話制御装置５から制御線Ｌｃを介して制御信号（呼出コマンド）が伝送され、この制御信号に含まれるアドレスが一致した住戸機２11では、ＣＰＵ２０が呼出コマンドに応じて住戸機リレーのリレー接点２９を閉成するとともにＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２11の応答釦（図示せず）を押操作すると、住戸機２11のＣＰＵ２０が音声回路２４ｃを動作させて通話可能な状態にするとともに幹線電源重畳回路２００によって幹線Ｌ１1における信号線Ｌｄの線間に直流電圧を印加する。経路切替器１０の幹線リレー駆動部１０２Ｄでは、幹線Ｌ１1における信号線Ｌｄの線間に直流電圧が印加されると駆動回路１０２ｃが動作して幹線リレーの励磁コイルに励磁電流を流すことにより幹線リレーを駆動し、直流電圧が印加されていない幹線Ｌ１2、すなわち、ロビーインターホン１に選択されなかった住戸機２21，…のみが分岐接続されている幹線Ｌ１2における信号線Ｌｄに挿入された幹線リレー接点１０１Ｄを開成する。一方、ロビーインターホン１に選択されなかった住戸機２12，…、２21，…では、ＣＰＵ２０が住戸機リレーのリレー接点２９を閉成せず、また幹線電源重畳回路２００によって信号線Ｌｄの線間に直流電圧を印加しないから、ロビーインターホン１に選択された住戸機２11が分岐接続されている幹線Ｌ１1においては、幹線リレー接点１０１Ｃが閉成された状態のままとなる。このとき、経路切替器１０では幹線Ｌ１1における信号線Ｌｄに挿入された直流電圧阻止用のコンデンサ１０３Ｃにより、住戸機２11の幹線電源重畳回路２００によって信号線Ｌｄの線間に印加された直流電圧を阻止しているため、常閉型の幹線リレー接点１０１Ｄを介して他方の幹線リレー駆動部１０２Ｃに直流電圧が印加されることがなく、幹線Ｌ１1における信号線Ｌｄに挿入された幹線リレー接点１０１Ｃが誤って開成することを防いでいる。
【００７６】
上述した動作により、経路切替器１０においては２系統の幹線Ｌ１1，Ｌ１2のうちでロビーインターホン１に選択された住戸機２11が分岐接続された幹線Ｌ１1のみが幹線制御装置３側の幹線Ｌ１0と接続され、他方の幹線Ｌ１2が幹線制御装置３側の幹線Ｌ１0と切り離されるから、ロビーインターホン１と選択された住戸機２11との間でのみ通話が可能になるとともに、選択された住戸機２11でのみロビーインターホン１のカメラで撮像された来訪者をモニタ２２に表示することが可能になる。
【００７７】
次に一斉放送時の動作について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。但し、何れの住戸機２においてもＣＰＵ２０は幹線電源重畳回路２００による信号線Ｌｄの線間への直流電圧印加を行わない。したがって、経路切替器１０の幹線リレー駆動部１０２Ｃ，１０２Ｄでは、幹線Ｌ１1，Ｌ１2における信号線Ｌｄの線間に直流電圧が印加されないことから、２つの幹線リレー駆動部１０２Ｃ，１０２Ｄにおける駆動回路１０２ｃが双方とも動作せず、各幹線Ｌ１1，Ｌ１2における信号線Ｌｄに挿入された幹線リレー接点１０１Ｃ，１０１Ｄは双方とも閉成した状態に維持される。
【００７８】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了する。
【００７９】
上述した動作により、経路切替器１０においては２系統の幹線Ｌ１1，Ｌ１2が双方とも幹線制御装置３側の幹線Ｌ１0と接続されるから、一斉放送機器から通話制御装置５を介して通話線Ｌａに送出される一斉放送用の音声信号が各幹線Ｌ１1，Ｌ１2にそれぞれ分岐接続されている全ての住戸機２に伝送されてスピーカ２１ｂから出力される。このとき、経路切替器１０では常閉型の幹線リレー接点１０１Ｃ，１０１Ｄを介して各幹線Ｌ１1，Ｌ１2が幹線Ｌ１0と接続された状態にあるため、何れの住戸機２からも信号線Ｌｄの線間に直流電圧を印加する必要がないから、一斉放送時に信号線Ｌｄの線間に印加される直流電圧の衝突も生じない。しかも、一斉放送時に信号線Ｌｄの線間に直流電圧を印加する住戸機２を設定したり、あるいは通話制御装置５に一斉放送用幹線電源重畳回路５３を設けて一斉放送時に通話線Ｌａの線間に直流電圧を印加するといった構成が不要になるから、実施形態１〜３に比較してシステム構成が簡素化できるという利点がある。
【００８０】
尚、本実施形態においても全ての住戸機２を一斉放送の対象とする必要はなく、例えば、一斉放送の内容に応じて対象とする住戸機２を限定してもよい。
【００８１】
（実施形態５）
本実施形態は、図５に示すように複数台の経路切替器１０を多段に接続できるようにした点に特徴がある。但し、基本構成は実施形態４と共通であるから、共通の構成要素には同一の符号を付して説明を省略する。
【００８２】
本実施形態の経路切替器１０は、図５に示すように分配された２つの系統の各幹線Ｌ１について住戸機２の幹線電源重畳回路２００によって信号線Ｌｄの線間に印加される直流電圧を検出したときに、各系統の幹線Ｌ１において幹線リレー接点１０１Ｃ，１０１Ｄよりもロビーインターホン１側の信号線Ｌｄの線間に直流電圧を印加する第２の幹線電源供給手段を備えている。第２の幹線電源供給手段は、インダクタ１０６ａを介して分配前の幹線Ｌ１における信号線Ｌｄの線間に直流電圧を印加する電源重畳回路１０６ｂと、幹線リレー駆動部１０２Ｃ，１０２Ｄの駆動回路１０２ｃから電源重畳回路１０６ｂへの給電経路に挿入されるとともに駆動回路１０２ｃにより駆動されるリレー（図示せず）によって閉成される常開型の給電リレー接点１０７Ｃ，１０７Ｄとを備え、給電リレー接点１０７Ｃ又は１０７Ｄが閉成して幹線リレー駆動部１０２Ｃ又は１０２Ｄの駆動回路１０２ｃから電源が供給されたときに電源重畳回路１０６ｂが動作するように構成されている。
【００８３】
次に本実施形態の要部の動作を説明する。但し、以下では説明を簡単にするために、幹線制御装置３と幹線Ｌ１0を介して直接接続された経路切替器１０を経路切替器１０1、経路切替器１０1を介して分配された２系統の幹線Ｌ１をそれぞれ幹線Ｌ１1及び幹線Ｌ１2、各系統の幹線Ｌ１1，Ｌ１2を分配する経路切替器１０を各々経路切替器１０2，１０3、経路切替器１０2，１０3を介して分配された各２系統の幹線Ｌ１をそれぞれ幹線Ｌ１11，Ｌ１12及び幹線Ｌ１21，Ｌ１22と表記し、各幹線Ｌ１11、Ｌ１12、Ｌ１21、Ｌ１22に分岐器７を介して分岐接続された複数台の住戸機２を住戸機２111，２112，…、住戸機２121，２122，…、住戸機２211，２212，…、住戸機２221，２222，…と表記する。
【００８４】
まず、ロビーインターホン１と、ロビーインターホン１で選択された１台の住戸機２（例えば、住戸機２111）との間で個別通話する場合について説明する。ロビーインターホン１で選択された住戸機２111に対して通話制御装置５から制御線Ｌｃを介して制御信号（呼出コマンド）が伝送され、この制御信号に含まれるアドレスが一致した住戸機２111では、ＣＰＵ２０が呼出コマンドに応じて住戸機リレーのリレー接点２９を閉成するとともにＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２111の応答釦（図示せず）を押操作すると、住戸機２111のＣＰＵ２０が音声回路２４ｃを動作させて通話可能な状態にするとともに幹線電源重畳回路２００によって幹線Ｌ１11における信号線Ｌｄの線間に直流電圧を印加する。経路切替器１０2の幹線リレー駆動部１０２Ｄでは、幹線Ｌ１11における信号線Ｌｄの線間に直流電圧が印加されると、一方の幹線リレー駆動部１０２Ｄにおける駆動回路１０２ｃが動作して幹線リレーの励磁コイルに励磁電流を流すことにより幹線リレーを駆動し、直流電圧が印加されていない幹線Ｌ１12、すなわち、ロビーインターホン１に選択されなかった住戸機２121，…のみが分岐接続されている幹線Ｌ１12における信号線Ｌｄに挿入された幹線リレー接点１０１Ｄを開成する。一方、ロビーインターホン１に選択されなかった住戸機２112，…、２121，…では、ＣＰＵ２０が住戸機リレーのリレー接点２９を閉成せず、また幹線電源重畳回路２００によって信号線Ｌｄの線間に直流電圧を印加しないから、ロビーインターホン１に選択された住戸機２111が分岐接続されている幹線Ｌ１11においては、幹線リレー接点１０１Ｃが閉成された状態のままとなる。さらに経路切替器１０2では、幹線リレー駆動部１０２Ｄにおける駆動回路１０２ｃが動作し、駆動回路１０２ｃから電源重畳回路１０６ｂへの給電経路に挿入されたリレーが駆動されるから、給電リレー接点１０７Ｃが閉成して駆動回路１０２ｃから電源が供給されて電源重畳回路１０６ｂが動作して幹線Ｌ１1における信号線Ｌｄの線間に直流電圧が印加される。尚、経路切替器１０3では何れの幹線Ｌ１21，Ｌ１22における信号線Ｌｄにも直流電圧が印加されないため、信号線Ｌｄに挿入されている幹線リレー接点１０１Ｃ，１０１Ｄは何れも閉成状態のままとなり、電源重畳回路１０６ｂも動作しないから幹線Ｌ１2における信号線Ｌｄの線間に直流電圧は印加されない。
【００８５】
そして、経路切替器１０1では、経路切替器１０2の電源重畳回路１０６ｂによって幹線Ｌ１1における信号線Ｌｄの線間に直流電圧が印加されるため、幹線リレー駆動部１０２Ｄにおける駆動回路１０２ｃが動作して幹線リレーを駆動し、直流電圧が印加されていない幹線Ｌ１2における信号線Ｌｄに挿入された幹線リレー接点１０１Ｄを開成するとともに、駆動回路１０２ｃから電源重畳回路１０６ｂへの給電経路に挿入されたリレーが駆動されて給電リレー接点１０７Ｃが閉成され、駆動回路１０２ｃから電源が供給されて電源重畳回路１０６ｂが動作し、幹線Ｌ１0における信号線Ｌｄの線間に直流電圧が印加される。また、経路切替器１０3では電源重畳回路１０６ｂが動作しないために幹線Ｌ１2における信号線Ｌｄの線間に直流電圧が印加されないから、幹線Ｌ１1においては幹線リレー接点１０１Ｃが閉成された状態のままとなる。
【００８６】
上述した動作により、経路切替器１０2においては２系統の幹線Ｌ１11，Ｌ１12のうちでロビーインターホン１に選択された住戸機２111が分岐接続された幹線Ｌ１11のみが経路切替器１０1側の幹線Ｌ１1と接続され、他方の幹線Ｌ１12が経路切替器１０1側の幹線Ｌ１1と切り離され、さらに経路切替器１０1においては２系統の幹線Ｌ１1，Ｌ１2のうちで経路切替器１０2と接続された幹線Ｌ１1のみが幹線制御装置３側の幹線Ｌ１0と接続され、経路切替器１０3と接続された他方の幹線Ｌ１2が幹線制御装置３側の幹線Ｌ１0と切り離される。その結果、ロビーインターホン１と選択された住戸機２111との間でのみ通話が可能になるとともに、選択された住戸機２111でのみロビーインターホン１のカメラで撮像された来訪者をモニタ２２に表示することが可能になる。
【００８７】
次に一斉放送時の動作について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。但し、何れの住戸機２においてもＣＰＵ２０は幹線電源重畳回路２００による信号線Ｌｄの線間への直流電圧印加を行わない。したがって、経路切替器１０2，１０3の幹線リレー駆動部１０２Ｃ，１０２Ｄでは、幹線Ｌ１11，Ｌ１12，Ｌ１21，Ｌ１22における信号線Ｌｄの線間に直流電圧が印加されないことから、２つの幹線リレー駆動部１０２Ｃ，１０２Ｄにおける駆動回路１０２ｃが双方とも動作せず、各幹線Ｌ１11，Ｌ１12，Ｌ１21，Ｌ１22における信号線Ｌｄに挿入された幹線リレー接点１０１Ｃ，１０１Ｄは双方とも閉成した状態に維持されるとともに、電源重畳回路１０６ｂも動作しないから何れの幹線Ｌ１1，Ｌ１2における信号線Ｌｄの線間にも直流電圧が印加されない。故に、経路切替器１０1の幹線リレー駆動部１０２Ｃ，１０２Ｄでは、幹線Ｌ１1，Ｌ１2における信号線Ｌｄの線間に直流電圧が印加されないことから、２つの幹線リレー駆動部１０２Ｃ，１０２Ｄにおける駆動回路１０２ｃが双方とも動作せず、各幹線Ｌ１1，Ｌ１2における信号線Ｌｄに挿入された幹線リレー接点１０１Ｃ，１０１Ｄは双方とも閉成した状態に維持される。
【００８８】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了する。
【００８９】
上述した動作により、２台の経路切替器１０2，１０3においては各２系統の幹線Ｌ１11，Ｌ１12、Ｌ１21、Ｌ１22が何れも経路切替器１０1を介して幹線制御装置３側の幹線Ｌ１0と接続されるから、一斉放送機器から通話制御装置５を介して通話線Ｌａに送出される一斉放送用の音声信号が各幹線Ｌ１11，Ｌ１12，Ｌ１21，Ｌ１22にそれぞれ分岐接続されている全ての住戸機２に伝送されてスピーカ２１ｂから出力される。
【００９０】
而して、本実施形態の経路切替器１０においては、分配された２つの系統の各幹線Ｌ１について住戸機２の幹線電源重畳回路２００によって信号線Ｌｄの線間に印加される直流電圧を検出したときに、各系統の幹線Ｌ１において幹線リレー接点１０１Ｃ，１０１Ｄよりもロビーインターホン１側の信号線Ｌｄの線間に直流電圧を印加する第２の幹線電源供給手段を備えており、個別通話時に各系統の幹線Ｌ１1，Ｌ１2における信号線Ｌｄの線間に第２の幹線電源供給手段により直流電圧が印加可能であるから、ロビーインターホン１と経路切替器１０2，１０3との間に別の経路切替器１０1を挿入し、図示例のように複数台の経路切替器１０1，１０2，１０3を多段に接続する場合においても個別通話の対象外である住戸機２が分岐接続された幹線Ｌ１が切り離され、信号線Ｌｄを介して伝送される音声信号の減衰を抑制することができる。
【００９１】
尚、本実施形態においても全ての住戸機２を一斉放送の対象とする必要はなく、例えば、一斉放送の内容に応じて対象とする住戸機２を限定してもよい。
【００９２】
（実施形態６）
本実施形態は、実施形態５と同様に複数台の経路切替器１０を多段に接続できるようにした点に特徴がある。但し、基本構成は実施形態４と共通であるから、共通の構成要素には同一の符号を付して説明を省略する。
【００９３】
本実施形態の経路切替器１０では、図６に示すように２つの系統の幹線Ｌ１1，Ｌ１2における信号線Ｌｄに挿入された直流電圧阻止用コンデンサ１０３Ｃ，１０３Ｄの両端に常開型の短絡リレー接点１０８Ｃ，１０８Ｄが並列接続されている。一方の短絡リレー接点１０８Ｃは、幹線リレー駆動部１０２Ｄにおける駆動回路１０２ｃが動作し、短絡リレー（図示せず）の励磁コイルに励磁電流を流すことにより短絡リレーを駆動することで閉成され、他方の短絡リレー接点１０８Ｄは、幹線リレー駆動部１０２Ｃにおける駆動回路１０２ｃが動作し、短絡リレー（図示せず）の励磁コイルに励磁電流を流すことにより短絡リレーを駆動することで閉成される。そして、短絡リレー接点１０８Ｃ，１０８Ｄが閉成されると直流電圧阻止用コンデンサ１０３Ｃ，１０３Ｄの両端が短絡リレー接点１０８Ｃ，１０８Ｄを介して短絡され、信号線Ｌｄの線間に印加された直流電圧が直流電圧阻止用コンデンサ１０３Ｃ，１０３Ｄで阻止されなくなる。
【００９４】
次に本実施形態の要部の動作を説明する。まず、ロビーインターホン１と、ロビーインターホン１で選択された１台の住戸機２（例えば、住戸機２11）との間で個別通話する場合について説明する。ロビーインターホン１で選択された住戸機２11に対して通話制御装置５から制御線Ｌｃを介して制御信号（呼出コマンド）が伝送され、この制御信号に含まれるアドレスが一致した住戸機２11では、ＣＰＵ２０が呼出コマンドに応じて住戸機リレーのリレー接点２９を閉成するとともにＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２11の応答釦（図示せず）を押操作すると、住戸機２11のＣＰＵ２０が音声回路２４ｃを動作させて通話可能な状態にするとともに幹線電源重畳回路２００によって幹線Ｌ１1における信号線Ｌｄの線間に直流電圧を印加する。経路切替器１０の幹線リレー駆動部１０２Ｄでは、幹線Ｌ１1における信号線Ｌｄの線間に直流電圧が印加されると駆動回路１０２ｃが動作して幹線リレーの励磁コイルに励磁電流を流すことにより幹線リレーを駆動し、直流電圧が印加されていない幹線Ｌ１2、すなわち、ロビーインターホン１に選択されなかった住戸機２21，…のみが分岐接続されている幹線Ｌ１2における信号線Ｌｄに挿入された幹線リレー接点１０１Ｄを開成するとともに、駆動回路１０２ｃによって短絡リレーの励磁コイルに励磁電流を流すことにより短絡リレーを駆動し、直流電圧が印加されている幹線Ｌ１1、すなわち、ロビーインターホン１に選択された住戸機２11が分岐接続されている幹線Ｌ１1における信号線Ｌｄに挿入された直流電圧阻止用コンデンサ１０３Ｃの両端に接続された短絡リレー接点１０８Ｃを閉成する。
【００９５】
一方、ロビーインターホン１に選択されなかった住戸機２12，…、２21，…では、ＣＰＵ２０が住戸機リレーのリレー接点２９を閉成せず、また幹線電源重畳回路２００によって信号線Ｌｄの線間に直流電圧を印加しないから、ロビーインターホン１に選択された住戸機２1が分岐接続されている幹線Ｌ１1においては、幹線リレー接点１０１Ｃが閉成された状態のままとなり、短絡リレー接点１０８Ｄが開成された状態のままとなる。このとき、幹線リレー駆動部１０２Ｄが動作して幹線リレー接点１０１Ｄが開成されるまでの期間においては直流電圧阻止用コンデンサ１０３Ｃにより、住戸機２1の幹線電源重畳回路２００によって信号線Ｌｄの線間に印加された直流電圧を阻止しているため、常閉型の幹線リレー接点１０１Ｄを介して他方の幹線リレー駆動部１０２Ｃに直流電圧が印加されることがなく、幹線Ｌ１1における信号線Ｌｄに挿入された幹線リレー接点１０１Ｃが誤って開成することを防ぐことができる。
【００９６】
上述した動作により、経路切替器１０においては２系統の幹線Ｌ１1，Ｌ１2のうちでロビーインターホン１に選択された住戸機２11が分岐接続された幹線Ｌ１1のみが幹線制御装置３側の幹線Ｌ１0と接続され、他方の幹線Ｌ１2が幹線制御装置３側の幹線Ｌ１0と切り離されるから、ロビーインターホン１と選択された住戸機２11との間でのみ通話が可能になるとともに、選択された住戸機２11でのみロビーインターホン１のカメラで撮像された来訪者をモニタ２２に表示することが可能になる。また、住戸機２11によって信号線Ｌｄの線間に直流電圧が印加されている幹線Ｌ１1においては、直流電圧阻止用コンデンサ１０３Ｃの両端が短絡リレー接点１０８Ｃを介して短絡されるため、信号線Ｌｄの線間に印加された直流電圧が直流電圧阻止用コンデンサ１０３Ｃに阻止されずに分配前の幹線Ｌ１0における信号線Ｌｄの線間にも印加されることになる。
【００９７】
次に一斉放送時の動作について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。但し、何れの住戸機２においてもＣＰＵ２０は幹線電源重畳回路２００による信号線Ｌｄの線間への直流電圧印加を行わない。したがって、経路切替器１０の幹線リレー駆動部１０２Ｃ，１０２Ｄでは、幹線Ｌ１1，Ｌ１2における信号線Ｌｄの線間に直流電圧が印加されないことから、２つの幹線リレー駆動部１０２Ｃ，１０２Ｄにおける駆動回路１０２ｃが双方とも動作せず、各幹線Ｌ１1，Ｌ１2における信号線Ｌｄに挿入された幹線リレー接点１０１Ｃ，１０１Ｄが閉成した状態に維持されるとともに短絡リレー接点１０８Ｃ，１０８Ｄが開成した状態に維持される。
【００９８】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了する。
【００９９】
上述した動作により、経路切替器１０においては２系統の幹線Ｌ１1，Ｌ１2が双方とも幹線制御装置３側の幹線Ｌ１0と接続されるから、一斉放送機器から通話制御装置５を介して通話線Ｌａに送出される一斉放送用の音声信号が各幹線Ｌ１1，Ｌ１2にそれぞれ分岐接続されている全ての住戸機２に伝送されてスピーカ２１ｂから出力される。
【０１００】
而して、本実施形態の経路切替器１０においては、分配された２つの系統の各幹線Ｌ１1，Ｌ１2について住戸機２の幹線電源重畳回路２００によって信号線Ｌｄの線間に印加される直流電圧を検出したときに、直流電圧が検出された幹線Ｌ１1又はＬ１2における信号線Ｌｄに挿入された直流電圧阻止用コンデンサ１０３Ｃ又は１０３Ｄの両端に接続された短絡リレー接点１０８Ｃ又は１０８Ｄを閉成しているから、個別通話時において分配後の幹線Ｌ１1又はＬ１2における信号線Ｌｄの線間に印加された直流電圧を、分配前の幹線Ｌ１0における信号線Ｌｄの線間に印加することができる。その結果、実施形態５と同様に複数台の経路切替器１０を多段に接続する場合においても個別通話の対象外である住戸機２が分岐接続された幹線Ｌ１を切り離し、信号線Ｌｄを介して伝送される音声信号の減衰を抑制することができる。しかも、実施形態５のように経路切替器１０に第２の幹線電源供給手段を設ける場合に比較して構成が簡素化できるという利点もある。
【０１０１】
尚、本実施形態においても全ての住戸機２を一斉放送の対象とする必要はなく、例えば、一斉放送の内容に応じて対象とする住戸機２を限定してもよい。
【０１０２】
（実施形態７）
本実施形態は、図７に示すように経路切替器１０における幹線リレー接点１０１Ａ，１０１Ｂを切替型とした点に特徴があり、その他の基本構成は実施形態１と共通であるから、共通の構成要素には同一の符号を付して説明を省略する。
【０１０３】
本実施形態に用いる経路切替器１０は、図７に示すように幹線Ｌ１0から分配された２系統の各幹線Ｌ１1，Ｌ１2における信号線Ｌｄに切替型の幹線リレー接点１０１Ｅ，１０１Ｆがそれぞれ挿入されている。幹線リレー接点１０１Ｅ，１０１Ｆは、各幹線Ｌ１1，Ｌ１2の幹線Ｌ１0側に設けられた共通接点１０１ａと、共通接点１０１ａに対して常閉である常閉側切替接点１０１ｂと、共通接点１０１ａに対して常開であって各幹線Ｌ１1，Ｌ１2の住戸機２側に設けられた常開側切替接点１０１ｃとからなり、互いの常閉側切替接点１０１ｂと常開側切替接点１０１ｃ同士が、音声信号並びに映像信号を通過させるとともに直流電圧を阻止する直流電圧阻止用のコンデンサ１０３Ｅ，１０３Ｆを介してそれぞれ接続されて構成されている。そして、これら２つの幹線リレー接点１０１Ｅ、１０１Ｆは、幹線リレー駆動部１０２Ｅ，１０２Ｆにより幹線リレー（図示せず）を駆動することで共通接点１０１ａが常閉側切替接点１０１ｂから常開側切替接点１０１ｃに切替接続されるものであって、幹線リレー駆動部１０２Ｅ，１０２Ｆが幹線リレーを駆動していない状態では、ロビーインターホン１側の幹線Ｌ１0と一方の系統の幹線Ｌ１1とが幹線リレー接点１０１Ｆ及びコンデンサ１０３Ｆを介して接続されるとともにロビーインターホン１側の幹線Ｌ１0と他方の系統の幹線Ｌ１2とが幹線リレー接点１０１Ｅ及びコンデンサ１０３Ｅを介して接続された状態にあり、幹線リレー駆動部１０２Ｅ，１０２Ｆが幹線リレーを駆動している状態では、ロビーインターホン１側の幹線Ｌ１0と一方の系統の幹線Ｌ１1とが幹線リレー接点１０１Ｅを介して接続されるとともにロビーインターホン１側の幹線Ｌ１0と他方の系統の幹線Ｌ１2とが幹線リレー接点１０１Ｆを介して接続された状態にある。尚、幹線リレー駆動部１０２Ｅ，１０２Ｆは何れも実施形態１における幹線リレー駆動部１０２Ａ，１０２Ｂと同構成であるから説明は省略する。
【０１０４】
次に本実施形態の要部の動作を説明する。まず、ロビーインターホン１と、ロビーインターホン１で選択された１台の住戸機２（例えば、住戸機２11）との間で個別通話する場合について説明する。ロビーインターホン１で選択された住戸機２11に対して通話制御装置５から制御線Ｌｃを介して制御信号（呼出コマンド）が伝送され、この制御信号に含まれるアドレスが一致した住戸機２11では、ＣＰＵ２０が呼出コマンドに応じて住戸機リレーのリレー接点２９を閉成するとともにＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２11の応答釦（図示せず）を押操作すると、住戸機２11のＣＰＵ２０が音声回路２４ｃを動作させて通話可能な状態にするとともに幹線電源重畳回路２００によって幹線Ｌ１1における信号線Ｌｄの線間に直流電圧を印加する。経路切替器１０の幹線リレー駆動部１０２Ｅでは、幹線Ｌ１1における信号線Ｌｄの線間に直流電圧が印加されると駆動回路１０２ｃが動作して幹線リレーの励磁コイルに励磁電流を流すことにより幹線リレーを駆動し、幹線Ｌ１1に挿入されている幹線リレー接点１０１Ｅにおいて共通接点１０１ａを常閉側切替接点１０１ｂから常開側切替接点１０１ｃに切替接続する。一方、ロビーインターホン１に選択されなかった住戸機２12，…、２21，…では、ＣＰＵ２０が住戸機リレーのリレー接点２９を閉成せず、また幹線電源重畳回路２００によって信号線Ｌｄの線間に直流電圧を印加しないから、ロビーインターホン１に選択されなかった住戸機２21，…のみが分岐接続されている幹線Ｌ１2に挿入されている幹線リレー接点１０１Ｆにおいては共通接点１０１ａが常閉側切替接点１０１ｂに接続された状態のままとなる。このとき、経路切替器１０では幹線リレー接点１０１Ｅの常開側切替接点１０１ｃと幹線リレー接点１０１Ｆの常閉側切替接点１０１ｂとの間に挿入されたコンデンサ１０３Ｆにより、住戸機２11の幹線電源重畳回路２００によって信号線Ｌｄの線間に印加された直流電圧を阻止しているため、幹線リレー接点１０１Ｆを介して他方の幹線リレー駆動部１０２Ｆに直流電圧が印加されることがなく、幹線Ｌ１2における信号線Ｌｄに挿入された幹線リレー接点１０１Ｆが誤って切り替えられることを防いでいる。
【０１０５】
上述した動作により、経路切替器１０においては２系統の幹線Ｌ１1，Ｌ１2のうちでロビーインターホン１に選択された住戸機２11が分岐接続された幹線Ｌ１1のみがロビーインターホン１側の幹線Ｌ１0と接続され、他方の幹線Ｌ１2がロビーインターホン１側の幹線Ｌ１0と切り離されるから、ロビーインターホン１と選択された住戸機２11との間でのみ通話が可能になるとともに、選択された住戸機２11でのみロビーインターホン１のカメラで撮像された来訪者をモニタ２２に表示することが可能になる。
【０１０６】
次に一斉放送時の動作について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。但し、何れの住戸機２においてもＣＰＵ２０は幹線電源重畳回路２００による信号線Ｌｄの線間への直流電圧印加を行わない。したがって、経路切替器１０の幹線リレー駆動部１０２Ｅ，１０２Ｆでは、幹線Ｌ１1，Ｌ１2における信号線Ｌｄの線間に直流電圧が印加されないことから、２つの幹線リレー駆動部１０２Ｅ，１０２Ｆにおける駆動回路１０２ｃが双方とも動作せず、各幹線Ｌ１1，Ｌ１2における信号線Ｌｄに挿入された幹線リレー接点１０１Ｅ，１０１Ｆは双方とも共通接点１０１ａが常閉側切替接点１０１ｂに接続された状態に維持される。
【０１０７】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了する。
【０１０８】
上述した動作により、経路切替器１０においては２系統の幹線Ｌ１1，Ｌ１2が双方ともロビーインターホン１側の幹線Ｌ１0と接続されるから、一斉放送機器から通話制御装置５を介して通話線Ｌａに送出される一斉放送用の音声信号が各幹線Ｌ１1，Ｌ１2にそれぞれ分岐接続されている全ての住戸機２に伝送されてスピーカ２１ｂから出力される。このとき、経路切替器１０では幹線リレー接点１０１Ｅ，１０１Ｆにおける共通接点１０１ａが常閉側切替接点１０１ｂに接続されて各幹線Ｌ１1，Ｌ１2が幹線Ｌ１0と接続された状態にあるため、何れの住戸機２からも信号線Ｌｄの線間に直流電圧を印加する必要がないから、一斉放送時に信号線Ｌｄの線間に印加される直流電圧の衝突も生じない。
【０１０９】
而して、本実施形態の経路切替器１０においては、分配された２つの系統の各幹線Ｌ１1，Ｌ１2について住戸機２の幹線電源重畳回路２００によって信号線Ｌｄの線間に印加される直流電圧を検出したときに、直流電圧が検出された幹線Ｌ１1又はＬ１2における信号線Ｌｄに挿入された直流電圧阻止用コンデンサ１０３Ｃ又は１０３Ｄの両端が幹線リレー接点１０１Ｅ又は１０１Ｆの共通接点１０１ａ及び常開側切替接点１０１ｃを介して短絡されるから、個別通話時において分配後の幹線Ｌ１1又はＬ１2における信号線Ｌｄの線間に印加された直流電圧を、分配前の幹線Ｌ１0における信号線Ｌｄの線間に印加することができる。その結果、実施形態５と同様に複数台の経路切替器１０を多段に接続する場合においても個別通話の対象外である住戸機２が分岐接続された幹線Ｌ１を切り離し、信号線Ｌｄを介して伝送される音声信号の減衰を抑制することができる。しかも、実施形態５のように経路切替器１０に第２の幹線電源供給手段を設ける場合に比較して構成が簡素化できるという利点もある。
【０１１０】
尚、本実施形態においても全ての住戸機２を一斉放送の対象とする必要はなく、例えば、一斉放送の内容に応じて対象とする住戸機２を限定してもよい。
【０１１１】
（実施形態８）
本実施形態は、図８に示すように一斉放送機器である通話制御装置５が個別通話時に信号線Ｌｄに判別信号を重畳させ、経路切替器１０では、信号線Ｌｄの線間に直流電圧が印加されるとともに信号線Ｌｄに重畳された判別信号を検出したときに幹線リレー接点１０１Ｃ又は１０１Ｄを開成するようにした点に特徴がある。但し、本実施形態の基本構成は実施形態４と共通であるから、共通の構成要素には同一の符号を付して説明を省略する。
【０１１２】
本実施形態の通話制御装置５は一斉放送機器を兼ねており、実施形態３と同様に音声を入出力するマイクロホン５１ａ及びスピーカ５１ｂを備え、マイクロホン５１ａとスピーカ５１ｂとはそれぞれ増幅器５４ａ，５４ｂを介して音声回路５４ｃに接続され、ロビーインターホン１及び住戸機２との間で通話線Ｌａを通して音声信号を授受することができるようになっている。また通話制御装置５には、音声信号の周波数及び映像信号の搬送波周波数の何れとも異なる周波数を有した判別信号を発生する判別信号発生回路５７が設けられており、この判別信号発生回路５７が発生する判別信号を通話線Ｌａに重畳している。尚、判別信号発生回路５７は、制御信号送受信回路５２で制御線Ｌｃを介して呼出コマンドの制御信号を伝送する際にＣＰＵ５０によって動作させられるものであり、言い換えれば、個別通話時にのみ判別信号を通話線Ｌａに重畳するのである。そして、通話制御装置５において通話線Ｌａに重畳された判別信号は、幹線制御装置３を介して信号線Ｌｄにも重畳されることになる。
【０１１３】
一方、経路切替器１０の幹線リレー駆動部１０２Ｃ，１０２Ｄは、インダクタ１０２ａ、ダイオードブリッジ１０２ｂ、駆動回路１０２ｃに加えて信号線Ｌｄに重畳された判別信号を検出する判別信号検出回路１０２ｅを有している。この判別信号検出回路１０２ｅは、例えば判別信号が有する周波数を通過させるとともに音声信号の周波数及びＦＭ映像信号の搬送波周波数を通過させないバンドパスフィルタを有し、バンドパスフィルタを通過した周波数の信号振幅が所定のしきい値を超えたときに判別信号を検出し、判別信号を検出したときに駆動回路１０２ｃから励磁コイルへの給電路を閉じて幹線リレーを駆動し、直流電圧が印加されていない信号線Ｌｄに挿入されている幹線リレー接点１０１Ｃ（又は１０１Ｄ）を開成させるものである。
【０１１４】
次に本実施形態の要部の動作を説明する。まず、ロビーインターホン１と、ロビーインターホン１で選択された１台の住戸機２（例えば、住戸機２11）との間で個別通話する場合について説明する。ロビーインターホン１で選択された住戸機２11に対して通話制御装置５から制御線Ｌｃを介して制御信号（呼出コマンド）が伝送され、この制御信号に含まれるアドレスが一致した住戸機２11では、ＣＰＵ２０が呼出コマンドに応じて住戸機リレーのリレー接点２９を閉成するとともにＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２11の応答釦（図示せず）を押操作すると、住戸機２11のＣＰＵ２０が音声回路２４ｃを動作させて通話可能な状態にするとともに幹線電源重畳回路２００によって幹線Ｌ１1における信号線Ｌｄの線間に直流電圧を印加する。また通話制御装置５では、ＣＰＵ５０が制御信号送受信回路５２により制御線Ｌｃを介して呼出コマンドの制御信号を伝送する際に判別信号発生回路５７を動作させて通話線Ｌａに判別信号を重畳させる。経路切替器１０の幹線リレー駆動部１０２Ｄでは、幹線Ｌ１1における信号線Ｌｄの線間に直流電圧が印加されると駆動回路１０２ｃが幹線リレーの励磁コイルに励磁電流を流すように動作し、信号線Ｌｄに重畳された判別信号を検出した判別信号検出回路１０２ｅが励磁電流の給電路を閉じることにより幹線リレーを駆動し、直流電圧が印加されていない幹線Ｌ１2、すなわち、ロビーインターホン１に選択されなかった住戸機２21，…のみが分岐接続されている幹線Ｌ１2における信号線Ｌｄに挿入された幹線リレー接点１０１Ｄを開成する。一方、ロビーインターホン１に選択されなかった住戸機２12，…、２21，…では、ＣＰＵ２０が住戸機リレーのリレー接点２９を閉成せず、また幹線電源重畳回路２００によって信号線Ｌｄの線間に直流電圧を印加しないから、ロビーインターホン１に選択された住戸機２11が分岐接続されている幹線Ｌ１1においては、幹線リレー接点１０１Ｃが閉成された状態のままとなる。
【０１１５】
上述した動作により、経路切替器１０においては２系統の幹線Ｌ１1，Ｌ１2のうちでロビーインターホン１に選択された住戸機２11が分岐接続された幹線Ｌ１1のみが幹線制御装置３側の幹線Ｌ１0と接続され、他方の幹線Ｌ１2が幹線制御装置３側の幹線Ｌ１0と切り離されるから、ロビーインターホン１と選択された住戸機２11との間でのみ通話が可能になるとともに、選択された住戸機２11でのみロビーインターホン１のカメラで撮像された来訪者をモニタ２２に表示することが可能になる。
【０１１６】
次に一斉放送時の動作について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。但し、何れの住戸機２においてもＣＰＵ２０は幹線電源重畳回路２００による信号線Ｌｄの線間への直流電圧印加を行わない。したがって、経路切替器１０の幹線リレー駆動部１０２Ｃ，１０２Ｄでは、幹線Ｌ１1，Ｌ１2における信号線Ｌｄの線間に直流電圧が印加されないことから、２つの幹線リレー駆動部１０２Ｃ，１０２Ｄにおける駆動回路１０２ｃが双方とも動作せず、各幹線Ｌ１1，Ｌ１2における信号線Ｌｄに挿入された幹線リレー接点１０１Ｃ，１０１Ｄは双方とも閉成した状態に維持される。
【０１１７】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了する。
【０１１８】
上述した動作により、経路切替器１０においては２系統の幹線Ｌ１1，Ｌ１2が双方とも幹線制御装置３側の幹線Ｌ１0と接続されるから、通話制御装置５から通話線Ｌａに送出される一斉放送用の音声信号が各幹線Ｌ１1，Ｌ１2にそれぞれ分岐接続されている全ての住戸機２に伝送されてスピーカ２１ｂから出力される。
【０１１９】
而して本実施形態によれば、ロビーインターホン１から選択された１台の住戸機２が信号線Ｌｄの線間に直流電圧を印加し且つ通話制御装置５から信号線Ｌｄ（通話線Ｌａ）に重畳する判別信号を判別信号検出回路１０２ｅにより検出しているときに経路切替器１０の幹線リレー駆動部１０２Ｃ又は１０２Ｄが幹線リレー接点１０１Ｃ又は１０１Ｄを開成するため、経路切替器１０における個別通話への経路の切替が確実に行えるという利点がある。
【０１２０】
尚、本実施形態においても全ての住戸機２を一斉放送の対象とする必要はなく、例えば、一斉放送の内容に応じて対象とする住戸機２を限定してもよい。
【０１２１】
（実施形態９）
本実施形態は、図９に示すように個別通話時に信号線Ｌｄを介して伝送されるＦＭ映像信号の搬送波を検出する搬送波検出手段を経路切替器１０の幹線リレー駆動部１０２Ｃ，１０２Ｄに設け、信号線Ｌｄの線間に直流電圧が印加されるとともに信号線Ｌｄを介して伝送されるＦＭ映像信号の搬送波を検出したときに幹線リレー接点１０１Ｃ又は１０１Ｄを開成するようにした点に特徴がある。但し、本実施形態の基本構成は実施形態４と共通であるから、共通の構成要素には同一の符号を付して説明を省略する。
【０１２２】
本実施形態における経路切替器１０の幹線リレー駆動部１０２Ｃ，１０２Ｄは、インダクタ１０２ａ、ダイオードブリッジ１０２ｂ、駆動回路１０２ｃに加えて信号線Ｌｄを介して伝送されるＦＭ映像信号の搬送波（キャリア）を検出するキャリア検出回路１０２ｆを有している。このキャリア検出回路１０２ｆは、例えばＦＭ映像信号の搬送波が有する周波数を通過させるバンドパスフィルタを有し、バンドパスフィルタを通過した周波数の信号振幅が所定のしきい値を超えたときにキャリアを検出し、キャリアを検出したときに駆動回路１０２ｃから励磁コイルへの給電路を閉じて幹線リレーを駆動し、直流電圧が印加されていない信号線Ｌｄに挿入されている幹線リレー接点１０１Ｃ（又は１０１Ｄ）を開成させるものである。
【０１２３】
次に本実施形態の要部の動作を説明する。まず、ロビーインターホン１と、ロビーインターホン１で選択された１台の住戸機２（例えば、住戸機２11）との間で個別通話する場合について説明する。ロビーインターホン１で選択された住戸機２11に対して通話制御装置５から制御線Ｌｃを介して制御信号（呼出コマンド）が伝送され、この制御信号に含まれるアドレスが一致した住戸機２11では、ＣＰＵ２０が呼出コマンドに応じて住戸機リレーのリレー接点２９を閉成するとともにＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２11の応答釦（図示せず）を押操作すると、住戸機２11のＣＰＵ２０が音声回路２４ｃを動作させて通話可能な状態にするとともに幹線電源重畳回路２００によって幹線Ｌ１1における信号線Ｌｄの線間に直流電圧を印加する。経路切替器１０の幹線リレー駆動部１０２Ｄでは、幹線Ｌ１1における信号線Ｌｄの線間に直流電圧が印加されると駆動回路１０２ｃが幹線リレーの励磁コイルに励磁電流を流すように動作し、信号線Ｌｄを介して伝送されるＦＭ映像信号の搬送波（キャリア）を検出したキャリア検出回路１０２ｆが励磁電流の給電路を閉じることにより幹線リレーを駆動し、直流電圧が印加されていない幹線Ｌ１2、すなわち、ロビーインターホン１に選択されなかった住戸機２21，…のみが分岐接続されている幹線Ｌ１2における信号線Ｌｄに挿入された幹線リレー接点１０１Ｄを開成する。一方、ロビーインターホン１に選択されなかった住戸機２12，…、２21，…では、ＣＰＵ２０が住戸機リレーのリレー接点２９を閉成せず、また幹線電源重畳回路２００によって信号線Ｌｄの線間に直流電圧を印加しないから、ロビーインターホン１に選択された住戸機２11が分岐接続されている幹線Ｌ１1においては、幹線リレー接点１０１Ｃが閉成された状態のままとなる。
【０１２４】
上述した動作により、経路切替器１０においては２系統の幹線Ｌ１1，Ｌ１2のうちでロビーインターホン１に選択された住戸機２11が分岐接続された幹線Ｌ１1のみが幹線制御装置３側の幹線Ｌ１0と接続され、他方の幹線Ｌ１2が幹線制御装置３側の幹線Ｌ１0と切り離されるから、ロビーインターホン１と選択された住戸機２11との間でのみ通話が可能になるとともに、選択された住戸機２11でのみロビーインターホン１のカメラで撮像された来訪者をモニタ２２に表示することが可能になる。
【０１２５】
次に一斉放送時の動作について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。但し、何れの住戸機２においてもＣＰＵ２０は幹線電源重畳回路２００による信号線Ｌｄの線間への直流電圧印加を行わない。したがって、経路切替器１０の幹線リレー駆動部１０２Ｃ，１０２Ｄでは、幹線Ｌ１1，Ｌ１2における信号線Ｌｄの線間に直流電圧が印加されないことから、２つの幹線リレー駆動部１０２Ｃ，１０２Ｄにおける駆動回路１０２ｃが双方とも動作せず、各幹線Ｌ１1，Ｌ１2における信号線Ｌｄに挿入された幹線リレー接点１０１Ｃ，１０１Ｄは双方とも閉成した状態に維持される。
【０１２６】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了する。
【０１２７】
上述した動作により、経路切替器１０においては２系統の幹線Ｌ１1，Ｌ１2が双方とも幹線制御装置３側の幹線Ｌ１0と接続されるから、一斉放送機器から通話制御装置５を介して通話線Ｌａに送出される一斉放送用の音声信号が各幹線Ｌ１1，Ｌ１2にそれぞれ分岐接続されている全ての住戸機２に伝送されてスピーカ２１ｂから出力される。
【０１２８】
而して本実施形態によれば、ロビーインターホン１から選択された１台の住戸機２が信号線Ｌｄの線間に直流電圧を印加し且つ信号線Ｌｄを介して伝送されるＦＭ映像信号の搬送波をキャリア検出回路１０２ｆにより検出しているときに経路切替器１０の幹線リレー駆動部１０２Ｃ又は１０２Ｄが幹線リレー接点１０１Ｃ又は１０１Ｄを開成するため、経路切替器１０における個別通話への経路の切替が確実に行えるという利点がある。しかも、個別通話か否かの判断をＦＭ映像信号の搬送波を検出することで行っているため、実施形態８のように判別信号を信号線Ｌｄに重畳させる判別信号発生回路１０２ｅを通話制御装置５に設ける必要がないからシステム構成が簡素化できるという利点もある。
【０１２９】
尚、本実施形態においても全ての住戸機２を一斉放送の対象とする必要はなく、例えば、一斉放送の内容に応じて対象とする住戸機２を限定してもよい。
【図面の簡単な説明】
【０１３０】
【図１】実施形態１のシステム構成図である。
【図２】実施形態２のシステム構成図である。
【図３】実施形態３のシステム構成図である。
【図４】実施形態４のシステム構成図である。
【図５】実施形態５のシステム構成図である。
【図６】実施形態６のシステム構成図である。
【図７】実施形態７のシステム構成図である。
【図８】実施形態８のシステム構成図である。
【図９】実施形態９のシステム構成図である。
【図１０】従来例１のシステム構成図である。
【図１１】従来例２のシステム構成図である。
【符号の説明】
【０１３１】
１  ロビーインターホン
２  住戸機
６  ドアホン子器
１０  経路切替器
１０１Ａ，１０１Ｂ  幹線リレー接点
１０２Ａ，１０２Ｂ  幹線リレー駆動部
１０３Ａ，１０３Ｂ  直流電圧阻止用コンデンサ
２００  幹線電源重畳回路
【図１】
2006180221.tif 000003
【図２】
2006180221.tif 000004
【図３】
2006180221.tif 000005
【図４】
2006180221.tif 000006
【図５】
2006180221.tif 000007
【図６】
2006180221.tif 000008
【図７】
2006180221.tif 000009
【図８】
2006180221.tif 000010
【図９】
2006180221.tif 000011
【図１０】
2006180221.tif 000012
【図１１】
2006180221.tif 000013